(57)【要約】      （修正有）【課題】病理・生物試料用カセットに於いて、患者や生物試料データの確実な伝達と病理・標本作製側データとの連結を確実にして、従来のカセット直接バーコード印字データ量以上の情報量の記憶・伝達でき、試料とデータ記録・記憶部の汚染・損傷・紛失・入れ替わりを防止し、医療廃棄物を出さないシステム。【解決手段】底部と包埋枠状基体の上側開口部に脱着自在に嵌合・連結する蓋体と包埋枠状基体の機能形態に各々分離独立した３種類の構成体ユニットとして成形する。生物試料の固定・移送・薬液処理・データ伝達連結できる生物試料処理用独立籠と試料の薬液処理籠であり包埋枠状基体多孔通液性容器底部と試料の薬液処理籠であり多孔通液孔を有する蓋体を廃棄しないで活用できるブロック試料の固定用支持基台の独立構成体とし、生物試料用ユニット連結嵌合構成体カセットシステムのユニット構成体器具として合成樹脂製水密枠付き包埋皿を成形する。【選択図】図１
2011247640.tif 000002
【特許請求の範囲】
【請求項１】
上側に開口部を形成し、その下側に多孔通液性の底部を形成した包埋枠状基体と、その包埋枠状基体の上側開口部に脱着自在に嵌合・連結する多孔通液孔を有する蓋体から成る病理・生物試料用カセットに於いて；
底部（ユニット１）と該底部（ユニット１）の上側開口部に脱着自在に嵌合・連結する多孔通液面を有する蓋体（ユニット２）と包埋枠状基体（ユニット３）の機能形態を各々分離独立した３種類の構成体ユニットとして成形して、
前記底部は、前記包埋枠状基体（ユニット３）とは分離独立した上側に開口部を形成し該上側開口部の外周を囲む水平方向に突設した鍔状平面を形成し、その下側に少なくとも底部に多孔通液性底面を形成した試料収納部からなる生物試料収納固定移送処理用多孔容器状底部（ユニット１）であり、前記包埋枠状基体（ユニット３）の介在がなくても該生物試料収納固定移送処理用多孔容器状底部（ユニット１）の上側開口部に前記多孔通液孔を有する蓋体（ユニット２）が独自に互いに脱着自在に嵌合・連結して試料の固定移送と薬液処理と試料データの伝達連結をする独立した機能を担う生物試料収納固定移送処理用多孔容器籠（ユニット構成体１）を構築することができ、更に、該生物試料収納固定移送処理用多孔容器籠（ユニット構成体１）は前記包埋枠状基体（ユニット３）とも脱着自在に嵌合・連結して試料データの確定とバリ無し包埋ブロックの台木の機能と従来の病理・生物試料用カセット機能を担える固定用支持基台（ユニット構成体３）を構築する３ユニットシステム複合構成体からなるユニットシステム包埋枠状基体構成体であることを特徴とする病理・生物試料用ユニットシステムカセット。
【請求項２】
上側に開口部を形成し、その下側に多孔通液性の底部を形成した包埋枠状基体と、その包埋枠状基体の上側開口部に脱着自在に嵌合・連結する多孔通液孔を有する蓋体から成る病理・生物試料用カセットに於いて；
底部（ユニット１）と、底部（ユニット１）と包埋枠状基体（ユニット３）の上側開口部に脱着自在に嵌合・連結する多孔通液孔Yを有する蓋体（ユニット２）と包埋枠状基体（ユニット３）の機能形態を各々分離独立した３種類の構成体ユニットとして成形して、
前記底部は、前記包埋枠状基体（ユニット３）とは分離独立した上側に開口部を形成し該上側開口部の外周を囲む水平方向に突設した鍔状平面を形成し、その下側に少なくとも底部に多孔通液性底面を形成した試料収納部からなる生物試料収納固定移送処理用多孔容器状底部（ユニット１）であり、前記包埋枠状基体（ユニット３）の介在がなくても該生物試料収納固定移送処理用多孔容器状底部（ユニット１）の上側開口部に前記多孔通液孔を有する蓋体（ユニット２）が独自に互いに脱着自在に嵌合・連結して試料の固定移送と薬液処理と試料データの伝達連結をする独立した機能を担う生物試料収納固定移送処理用多孔容器籠（ユニット構成体１）を構築することができ、前記包埋枠状基体（ユニット３）は、前記底部である生物試料収納固定移送処理用多孔容器状底部（ユニット１）とは異なる多孔通液性底部を形成する包埋枠状基体（ユニット３）であり、該包埋枠状基体（ユニット３）の上側開口部に前記多孔通液孔を有する蓋体（ユニット２）が独自に互いに脱着自在に嵌合・連結して試料データの確定とバリ無し包埋ブロックの台木の機能と従来の病理・生物試料用カセット機能を担える固定用支持基台（ユニット構成体３）を構築し、該生物試料収納固定移送処理用多孔容器籠（ユニット構成体１）と該固定用支持基台（ユニット構成体３）の構成ユニットである前記多孔通液孔を有する蓋体（ユニット２）を共有活用できる３ユニットシステム複合構成体からなる独立した機能を担う生物試料収納固定移送処理用多孔容器籠（ユニット構成体１）と固定用支持基台（ユニット構成体３）とで構成する３ユニットシステム複合構成体からなるユニットシステム包埋枠状基体構成体であることを特徴とする病理・生物試料用ユニットシステムカセット。
【請求項３】
上側に開口部を形成し、その下側に多孔通液性の底部を形成した包埋枠状基体と、その包埋枠状基体の上側開口部に脱着自在に嵌合・連結する多孔通液孔を有する蓋体から成る病理・生物試料用カセットに於いて；
底部（ユニット１）と底部（ユニット１）の上側開口部に脱着自在に嵌合・連結する多孔通液面を有する蓋体（ユニット２）と包埋枠状基体（ユニット３）の機能形態を各々分離独立した３種類の構成体ユニットとして成形して、
前記包埋枠状基体（ユニット３）は、上側に開口部を有し、該開口部周囲を囲む外壁上部上端面或いは該開口部に連なる内壁に内側に向けて突設された凸状平面が形成され、該上側開口部周囲を囲む外壁上部の両長辺上端面の端面上に外側長辺側壁を立設延長形成した包埋枠状基体（ユニット３）であり、該包埋枠状基体の両外側長辺側壁上端面は、前記生物試料収納固定移送処理用多孔容器状底部（ユニット１）の上側開口部の外周を囲む水平方向に突設した鍔状平面の厚さと該底部（ユニット１）の開口部に脱着自在に嵌合・連結する多孔通液面を有する蓋体（ユニット２）の多孔通液面の外周を囲む開閉誘導リブの外周平面の厚さを重ねた厚さ分だけ、前記包埋枠状基体（ユニット３）の開口部周囲を囲む外壁上部上端面と該開口部に連なる内壁に内側に向けて突設された凸状平面より高い位置に成形され、
前記生物試料収納固定移送処理用多孔容器籠（ユニット構成体１）の構成体ユニットである該生物試料収納固定移送処理用多孔容器状底部（ユニット１）と該底部（ユニット１）の上側開口部に脱着自在に嵌合・連結する多孔通液面を有する蓋体（ユニット２）は、該底部（ユニット１）の上側開口部の外周を囲む水平方向に突設した鍔状平面の長側辺と該蓋体（ユニット２）の多孔通液面の外周を囲む開閉誘導リブの外周平面の長側辺とを前記包埋枠状基体（ユニット３）の両外側長辺側壁が挟持嵌合できる形状に切り欠け部を形成した底部（ユニット１）と蓋体（ユニット２）であり、該生物試料収納固定移送処理用多孔容器状底部（ユニット１）の上側開口部の外周を囲む水平方向に突設した鍔状平面と蓋体（ユニット２）の多孔通液面の外周を囲む開閉誘導リブの外周平面の厚さは前記包埋枠状基体（ユニット３）の外側長辺側壁内に全て収納され、該包埋枠状基体（ユニット３）の側壁外側のデータ記録部の面積が広く保たれ、該蓋体（ユニット２）を廃棄することなく、試料データの確定とバリ無し包埋ブロックの台木の機能と従来の病理・生物試料用カセット機能を担える固定用支持基台（ユニット構成体３）である包埋ブロックの台木の一部として一体的に埋込活用して包埋ブロックを作製できる３ユニットシステム複合構成体からなるユニットシステム包埋枠状基体構成体であることを特徴とする請求項１記載の病理・生物試料用ユニットシステムカセット。
【請求項４】
上側に開口部を形成し、その下側に多孔通液性の底部を形成した包埋枠状基体と、その包埋枠状基体の上側開口部に脱着自在に嵌合・連結する多孔通液孔を有する蓋体から成る病理・生物試料用カセットに於いて；
底部（ユニット１）と、底部（ユニット１）と包埋枠状基体（ユニット３）の上側開口部に脱着自在に嵌合・連結する蓋体（ユニット２）と包埋枠状基体（ユニット３）の機能形態を各々分離独立した３種類の構成体ユニットとして成形して、
前記包埋枠状基体（ユニット３）は、上側に開口部を有し下側に前記底部（ユニット１）とは異なる多孔通液性底部を形成する包埋枠状基体（ユニット３）であり、該上側開口部の周囲を囲む外壁上部上端面或いは該上側開口部に連なる収納内壁に内側に向けて突設された凸状平面が形成され、該上側開口部周囲を囲む外壁上部の両長辺上端面の端面上に外側長辺側壁を立設延長形成した包埋枠状基体（ユニット３）であり、該包埋枠状基体（ユニット３）の両側長辺側壁の上端面は、前記生物試料収納固定移送処理用多孔容器状底部（ユニット１）の上側開口部に脱着自在に嵌合・連結する多孔通液面を有する蓋体（ユニット２）の多孔通液面の外周を囲む開閉誘導リブの外周平面の厚さ分だけ前記包埋枠状基体（ユニット３）の開口部周囲を囲む外壁上部上端面と該開口部に連なる内壁に内側に向けて突設された凸状平面より高い位置に成形されて、
前記生物試料収納固定移送処理用多孔容器籠（ユニット構成体１）の構成体ユニットである該生物試料収納固定移送処理用多孔容器状底部（ユニット１）の上側開口部に脱着自在に嵌合・連結する多孔通液孔を有する蓋体（ユニット２）は、該蓋体（ユニット２）の多孔通液面の外周を囲む開閉誘導リブの外周平面の長側辺を前記包埋枠状基体（ユニット３）の両外側長辺側壁が挟持嵌合できる形状に切り欠け部を形成した蓋体であり、該生物試料収納固定移送処理用多孔容器状底部（ユニット１）の蓋体（ユニット２）は前記包埋枠状基体（ユニット３）の蓋体（ユニット２）としても共有活用されて、該蓋体（ユニット２）の多孔通液面の外周を囲む開閉誘導リブの外周平面の厚さは該包埋枠状基体（ユニット３）内に全て収納され側壁外側のデータ記録部の面積が広く保たれ、
また、該多孔通液孔を有する蓋体（ユニット２）が該包埋枠状基体（ユニット３）の長辺側壁内に収まりカセット収納容積の減少を防ぐために、その厚さ分該包埋枠状基体（ユニット３）の多孔通液性底部の成形位置を試料包埋ブロックの薄切時の台木の役目を担う該包埋枠状基体（ユニット３）の底部のアダプター固定爪位置より狭い面積で突設成形した突設側壁を成形する、
該包埋枠状基体（ユニット３）は前記生物試料収納固定移送処理用多孔容器籠（ユニット構成体１）の構成ユニットである前記多孔通液面を有する蓋体（ユニット２）を該包埋枠状基体（ユニット３）の上側開口部にも脱着自在に嵌合・連結する多孔通液面を有する蓋体として共有できて、該蓋体（ユニット２）を廃棄することなく、包埋ブロックの台木の一部として一体的に埋込活用して包埋ブロックを作製できるブロック試料の固定用支持基台（ユニット構成体３）を構築することができる。該生物試料収納固定移送処理用多孔容器籠（ユニット構成体１）と該固定用支持基台（ユニット構成体３）の構成ユニットである前記多孔通液面を有する蓋体（ユニット２）を共有活用できる３ユニットシステム複合構成体からなる独立した機能を担う生物試料収納固定移送処理用多孔容器籠（ユニット構成体１）と独立した試料データの確定とバリ無し包埋ブロック試料の台木の機能と従来の病理・生物試料用カセット機能を担える固定用支持基台（ユニット構成体３）とで構成することを特徴とする請求項２記載の病理・生物試料用ユニットシステムカセット。
【請求項５】
上側に開口部を形成し、その下側に多孔通液性の底部を形成した包埋枠状基体と、その包埋枠状基体の上側開口部に脱着自在に嵌合・連結する多孔通液孔を有する蓋体から成る病理・生物試料用カセットに於いて；
底部（ユニット１）と底部（ユニット１）の上側開口部に脱着自在に嵌合・連結する多孔通液面を有する蓋体（ユニット２）と包埋枠状基体（ユニット３）の機能形態を各々分離独立した３種類の構成体ユニットとして成形して、
前記底部である生物試料収納固定移送処理用多孔容器状底部（ユニット１）と前記包埋枠状基体（ユニット３）との２ユニットシステム複合構成体で構築される病理組織試料用カセットの機能形態であるユニットシステム包埋枠状基体多孔通液性容器底部（ユニット構成体２）の構成ユニットである該生物試料収納固定移送処理用多孔容器状底部（ユニット１）が、
多孔通液性底面を形成した試料収納部と上側開口部の外周を囲む水平方向に突設した該鍔状平面とで構成される該生物試料収納固定移送処理用多孔容器状底部（ユニット１）の上側開口部の外周を囲む水平方向に突設した該鍔状平面の少なくても１辺を該包埋枠状基体（ユニット３）の外側面のデータ記録部の傾斜面に沿って延長成形して、該包埋枠状基体（ユニット３）の外周側面に傾斜形成設置されたデータ記録部を抑え覆う保護板兼データ記録部を一体的に成形した２ユニットシステム複合構成体で構築される病理・生物試料用カセットの機能形態であるユニットシステム包埋枠状基体多孔通液性容器底部（ユニット構成体２）の構成ユニットであることを特徴とする請求項１又は３記載の病理・生物試料用ユニットシステムカセットの構成体ユニットである保護板兼データ記録部付き多孔通液性容器状底部（ユニット１）。
【請求項６】
上側に開口部を形成し、その下側に多孔通液性の底部を形成した包埋枠状基体と、その包埋枠状基体の上側開口部に脱着自在に嵌合・連結する多孔通液孔を有する蓋体から成る病理・生物試料用カセットに於いて；
底部（ユニット１）と該底部（ユニット１）の上側開口部に脱着自在に嵌合・連結する多孔通液面を有する蓋体（ユニット２）と包埋枠状基体（ユニット３）の機能形態を各々分離独立した３種類の構成体ユニットとして成形して、
前記底部である生物試料収納固定移送処理用多孔容器状底部（ユニット１）と該底部（ユニット１）の上側開口部に独自に互いに脱着自在に嵌合・連結する前記多孔通液面を有する蓋体（ユニット２）との２ユニットシステム複合構成体で構築される独立した機能を担う生物試料収納固定移送処理用多孔容器籠（ユニット構成体１）の構成ユニットである該底部（ユニット１）の上側開口部の外周を囲む水平方向に突設した該鍔状平面の少なくても１辺を前記包埋枠状基体（ユニット３）の外側面のデータ記録部の傾斜面に沿って延長成形して、該包埋枠状基体（ユニット３）の外周側面に傾斜形成設置されたデータ記録部を保護し抑え覆う該底部（ユニット１）の保護板兼データ記録部を更に保護するために、前記多孔通液面を有する蓋体（ユニット２）の多孔通液面の外周を囲む開閉誘導リブの外周平面の少なくても1辺にも同様に一体的保護板を成形して、該生物試料収納固定移送処理用多孔容器状底部（ユニット１）の保護板兼データ記録部上の汚れや該データ記録部に印字貼られたデータラベルの剥離や汚れを防止する保護板付き蓋体（ユニット２）と保護板兼データ記録部付き底部（ユニット１）との２ユニットシステム複合構成体で構築される独立した機能を担う試料データ記録部付き生物試料収納固定移送処理用多孔容器籠（ユニット構成体１）の２重のデータ記録部兼保護板が前記包埋枠状基体（ユニット３）の外側面のデータ記録部を挟持保護して多孔通液面を有する蓋体を廃棄しないで活用できる３ユニットシステム複合構成体で構築される試料データの確定とバリ無し包埋ブロックの台木の機能と従来の病理・生物試料用カセット機能を担える固定用支持基台（ユニット構成体３）で構成されることを特徴とする請求項１、３又は５記載の病理・生物試料用ユニットシステムカセットの構成体ユニットである保護板兼データ記録部付き生物試料収納固定移送処理用多孔容器状底部（ユニット１）と保護板付き多孔通液孔を有する蓋体（ユニット２）。
【請求項７】
上側に開口部を形成し、その下側に多孔通液性の底部を形成した包埋枠状基体と、その包埋枠状基体の上側開口部に脱着自在に嵌合・連結する多孔通液孔を有する蓋体から成る病理・生物試料用カセットに於いて；
底部（ユニット１）と、底部（ユニット１）と包埋枠状基体（ユニット３）の上側開口部に脱着自在に嵌合・連結する蓋体（ユニット２）と包埋枠状基体（ユニット３）の機能形態を各々分離独立した３種類の構成体ユニットとして成形して、
前記底部である生物試料収納固定移送処理用多孔容器状底部（ユニット１）と該底部（ユニット１）の上側開口部に独自に互いに脱着自在に嵌合・連結する前記多孔通液面を有する蓋体（ユニット２）との２ユニットシステム複合構成体で構築される独立した機能を担う生物試料収納固定移送処理用多孔容器籠（ユニット構成体１）と前記包埋枠状基体（ユニット３）から構築される３ユニットシステム複合構成体である病理・生物試料用ユニットシステムカセットの構成体ユニットである該生物試料収納固定移送処理用多孔容器状底部（ユニット１）の上側開口部の外周を囲む水平方向に突設した鍔状平面の少なくても１辺を該包埋枠状基体（ユニット３）の外周側面に傾斜形成設置されたデータ記録部と同じ傾斜角度で延長してデータ記録部を成形し、更に該生物試料収納固定移送処理用多孔容器状底部（ユニット１）に形成されたデータ記録面に沿って該底部（ユニット１）に脱着自在に嵌合・連結する前記多孔通液面を有する蓋体（ユニット２）の多孔通液面の外周を囲む開閉誘導リブの外周平面の少なくても1辺にも同様に一体的保護板を前記生物試料収納固定移送処理用多孔容器状底部（ユニット１）に形成されたデータ記録部を保護し抑え覆う形状に成形して、該データ記録部付き底部（ユニット１）と該底部（ユニット１）の上側開口部に独自に互いに脱着自在に嵌合・連結する前記多孔通液面を有する保護板付き蓋体（ユニット２）との２ユニットシステム複合構成体で構築される独立した機能を担う生物試料収納固定移送処理用多孔容器籠（ユニット構成体１）の構成ユニットである多孔通液面を有する保護板付き蓋体（ユニット２）が、前記包埋枠状基体（ユニット３）の外周側面に傾斜形成設置されたデータ記録部を保護できる保護板付き蓋体（ユニット２）として共有活用できることを特徴とする請求項２又は４記載の病理・生物試料用ユニットシステムカセットの２ユニットシステム複合構成体であるデータ記録部兼保護板付き生物試料収納固定移送処理用多孔容器籠（ユニット構成体１）。
【請求項８】
上側に開口部を形成し、その下側に多孔通液性の底部を形成した包埋枠状基体と、その包埋枠状基体の上側開口部に脱着自在に嵌合・連結する多孔通液孔を有する蓋体から成る病理・生物試料用カセットに於いて；
底部（ユニット１）と底部（ユニット１）の上側開口部に脱着自在に嵌合・連結する蓋体（ユニット２）と包埋枠状基体（ユニット３）の機能形態を各々分離独立した３種類の構成体ユニットとして成形して、
前記包埋枠状基体（ユニット３）は、上側に開口部を有し、該上側開口部の周囲を囲む外壁上部上端面、或いは該上側開口部に連なる内壁に内側に向けて突設された凸状平面を形成し、該包埋枠状基体（ユニット３）の外側壁の両前部外側面に上端面から下端面に通じる凹部を形成して、該凹部の上部に前記底部（ユニット１）とも脱着自在に嵌合・連結する前記蓋体（ユニット２）の前部両側凸状垂設係止部の掛け止め部を該包埋枠状基体（ユニット３）の両前部外側凹部に外側面の上側一部を凹部側に掛け止め部として凸設状に残し形成し、後部外壁にも前記蓋体（ユニット２）の後部の係止部を掛け止める掛け止め部を成形した包埋枠状基体（ユニット３）であり、該包埋枠状基体（ユニット３）は底部（ユニット１）と蓋体（ユニット２）と脱着自在に嵌合・連結して３ユニットシステム複合構成体である固定用支持基台（ユニット構成体３）を構築する。
前記底部（ユニット１）は、前記包埋枠状基体（ユニット３）とは分離独立した上側に開口部を形成し、その下側に少なくとも底部に多孔通液性底面を形成した試料収納部からなる生物試料収納固定移送処理用多孔容器状底部（ユニット１）であり、該底部（ユニット１）は上側開口部の外周を囲む水平方向に突設した鍔状平面を形成し、該鍔状平面の前部には前記蓋体（ユニット２）の前部凸状垂設係止部の掛け止め部があり、該掛け止め部は前記包埋枠状基体（ユニット３）の外側壁の前記前部両外側凹部に外側面の上側一部を凹部側に掛け止め部として凸設状に残し形成した凹部に一致する切り欠け部であり、該底部（ユニット１）の後部にも前記蓋体（ユニット２）の後部係止部の掛け止め部を形成して、該底部（ユニット１）は蓋体（ユニット２）と脱着自在に嵌合・連結して２ユニットシステム複合構成体である生物試料収納固定移送処理用多孔容器籠（ユニット構成体１）を構築する、
該多孔通液面を有する蓋体（ユニット２）は、前部両側に凸状垂設係止部を形成し、後部にも前記底部（ユニット１）と前記包埋枠状基体（ユニット３）とも共用する係止部を形成している。該蓋体（ユニット２）は２ユニットシステム複合構成体で構築される生物試料収納固定移送処理用多孔容器籠（ユニット構成体１）と３ユニットシステム複合構成体で構築される固定用支持基台（ユニット構成体３）との共通の構成ユニットであり、
該生物試料収納固定移送処理用多孔容器状底部（ユニット１）と該多孔通液面を有する蓋体（ユニット２）と該包埋枠状基体（ユニット３）とから構築されるユニットシステム複合構成体である生物試料収納固定移送処理用多孔容器籠（ユニット構成体１）と固定用支持基台（ユニット構成体３）とが同一の多孔通液面を有する蓋体（ユニット２）を共有活用することで構築されることを特徴とする請求項１、３、５又は６記載のユニットシステム包埋枠状基体構成体である病理・生物試料用ユニットシステムカセット。
【請求項９】
上側に開口部を形成し、その下側に多孔通液性の底部を形成した包埋枠状基体と、その包埋枠状基体の上側開口部に脱着自在に嵌合・連結する多孔通液孔を有する蓋体から成る病理・生物試料用カセットに於いて；
底部（ユニット１）と底部（ユニット１）の上側開口部に脱着自在に嵌合・連結する多孔通液面を有する蓋体（ユニット２）と包埋枠状基体（ユニット３）の機能形態を各々分離独立した３種類の構成体ユニットとして成形して、
前記包埋枠状基体（ユニット３）は、上側と下側とに開口部を有し、該上側から下側への開口部に連結した貫通孔部を形成し、上側から下側開口部に連結した前記貫通孔部の該上側開口部の周囲を囲む外壁上部上端面或いは該上側開口部に連なる貫通孔部内壁に内側に向けて突設された凸状平面を形成し、該包埋枠状基体（ユニット３）の外側壁の両前部外側面に上端面から下端面に通じる凹部を形成して、該凹部の上部に前記底部（ユニット１）とも脱着自在に嵌合・連結する前記蓋体（ユニット２）の前部凸状垂設係止部の掛け止め部を該包埋枠状基体（ユニット３）の両前部外側凹部に外側面の上側一部を凹部側に掛け止め部として凸設状に残し形成し、後部外壁にも前記蓋体（ユニット２）の後部の係止部を掛け止める掛け止め部を成形した包埋枠状基体（ユニット３）であり、
前記底部（ユニット１）は、前記包埋枠状基体（ユニット３）とは分離独立した上側に開口部を形成し、その下側に少なくとも底部に多孔通液性底面を形成した試料収納部からなる生物試料収納固定移送処理用多孔容器状底部（ユニット１）であり、前記包埋枠状基体（ユニット３）の介在がなくても該底部（ユニット１）の上側開口部に前記多孔通液面を有する蓋体（ユニット２）が独自に互いに脱着自在に嵌合・連結して独立した機能を担う生物試料収納固定移送処理用多孔容器籠（ユニット構成体１）を構築することができ、
該底部（ユニット１）は上側開口部の外周を囲む水平方向に突設した鍔状平面を形成し、該鍔状平面の前部には前記蓋体（ユニット２）の前部の両側凸状垂設係止部の前部両側掛け止め部が成形されていて、該底部（ユニット１）の前部両側掛け止め部は前記包埋枠状基体（ユニット３）の外側壁の前部両外側に上端面から下端面に通じる凹部の上部に外側面の上側一部を凹部側に突設状に残し形成した掛け止め部の上側に重なる形状に成形され、更に該底部（ユニット１）の前部両側掛け止め部は該底部（ユニット１）の上側開口部の外周を囲む水平方向に突設した鍔状平面の両側長辺側の切り欠け部の端部で形成されており、該切り欠け部は前記包埋枠状基体（ユニット３）の外側壁の前部両外側に上端面から下端面に通じる凹部に重なる形状であり、該包埋枠状基体（ユニット３）の凹部の上部外側面の凹部側に突設状に残し形成した掛け止め部の上部に重なる該底部（ユニット１）の切り欠け部の端部が前部両側掛け止め部に一致し、更に、後部にも前記蓋体（ユニット２）の後部係止部の掛け止め部を形成した多孔通液性容器状底部であり、前記包埋枠状基体（ユニット３）の上側から下側への開口部に連結した貫通孔部に脱着自在に挿入嵌合できる試料収納部と該鍔状平面を前記包埋枠状基体（ユニット３）の開口部外周の上端面上に或いは前記上側開口部に連なる貫通孔部内壁に内側に向けて突設された凸状平面上に掛け止め嵌合設置して、該生物試料収納固定移送処理用多孔容器状底部（ユニット１）が前記包埋枠状基体（ユニット３）の下側開口部側に脱落しない防止機能を持ち、該底部（ユニット１）は前記包埋枠状基体（ユニット３）と互いに嵌合・連結して２ユニットシステム複合構成体で構築される病理組織試料用カセットの機能形態であるユニットシステム包埋枠状基体多孔通液性容器底部（ユニット構成体２）を構築し、
前記多孔通液面を有する蓋体（ユニット２）は、前部両側に凸状垂設係止部を形成し、後部にも前記底部（ユニット１）の掛け止め部と前記包埋枠状基体（ユニット３）の掛け止め部で成す二角の重なりで構築される掛け止め部に掛け止めできる係止部を形成しており、前記底部（ユニット１）の上側開口部にも脱着自在に嵌合・連結して、更に該底部（ユニット１）の上側開口部の外周を囲む水平方向に突設した鍔状平面を、該多孔通液面を有する蓋体（ユニット２）の多孔通液面の外周を囲む開閉誘導リブの外周平面下と該包埋枠状基体（ユニット３）の開口部外周の上端面上に或いは上側開口部に連なる貫通孔部内壁に内側に向けて突設された凸状平面上で挟持して嵌合・連結して固定用支持基台（ユニット構成体３）を構築する、該多孔通液孔を有する蓋体（ユニット２）の前部両側凸状垂設係止部と後部係止部の該生物試料収納固定移送処理用多孔容器状底部（ユニット１）と該包埋枠状基体（ユニット３）の前部と後部の掛け止めに於いて、該蓋体（ユニット２）の前部両側凸状垂設係止部と後部係止部の該底部（ユニット１）と該包埋枠状基体（ユニット３）の両前部と後部掛け止め部はそれぞれ該底部（ユニット１）と該包埋枠状基体（ユニット３）の掛け止め部が成す二角の重なりで構築される掛け止め部で構成されるので該蓋体（ユニット２）と、該底部（ユニット１）と該包埋枠状基体（ユニット３）の掛け止め部の嵌合・係止支点は各々共通共用している、該蓋体（ユニット２）の係止部と該底部（ユニット１）と該包埋枠状基体（ユニット３）の掛け止め部の嵌合・係止支点が各々共通共用出来ることを特徴とする請求項１、３、５、６又は８記載のユニットシステム包埋枠状基体構成体からなる病理・生物試料用ユニットシステムカセット。
【請求項１０】
上側に開口部を形成し、その下側に多孔通液性の底部を形成した包埋枠状基体と、その包埋枠状基体の上側開口部に脱着自在に嵌合・連結する多孔通液孔を有する蓋体とから成る病理・生物試料用カセットの包埋枠状基体のデータ記録部等外周部に付着して病理・生物試料包埋ブロックカセットの薄切時に邪魔をして、その除去時にデータ記録部を損傷させる包埋剤の余分なバリを除去又はバリを発生させない包埋皿に於いて；
包埋底部（ユニット４）と包埋底部（ユニット４）の上側開口部の外周を囲む水平方向に突設した鍔状平面に嵌合・連結する、上側と下側とに開口部を有し該上側から下側への開口部に連結した貫通孔部を形成する上部水密包埋枠部（ユニット５）の機能形態を各々分離独立した２種類の素材構成体ユニットとして成形して
包埋底部（ユニット４）は熱伝導率の良い金属製板のプレス加工で成形し、該包埋底部は上側開口部の下側には包埋時に包埋試料が載せられる収納底部があり該上側開口部の外周を囲む水平方向に突設した鍔状平面を形成している金属製構成体ユニットであり、
前記上部水密包埋枠部は上側と下側とに開口部を有し、該上側から下側への開口部に連結した貫通孔部を形成し、上側から下側開口部に連結した前記貫通孔部の該上側開口部の周囲を囲む外壁上部上端面或いは該上側開口部に連なる貫通孔部内壁に内側に向けて突設された凸状平面を形成して、該上側開口部の周囲を囲む外壁上部上端面或いは該上側開口部に連なる貫通孔部内壁に内側に向けて突設された凸状平面上に前記包埋底部（ユニット４）の収納底部の上側開口部の外周を囲む水平方向に突設した鍔状平面の四方全周を掛け止め設置できる前記包埋底部（ユニット４）の下部嵌合連結包埋底部支持体と、該下部嵌合連結包埋底部支持体の上側に嵌合連結して上側と下側とに開口部を有し、前記上側から下側への開口部に連結した貫通孔部を形成し、上側から下側開口部に連結した前記貫通孔部の該上側開口部の周囲を囲む外壁上部上端面と該上側開口部に連なる貫通孔部内壁に内側に向けて突設された凸状平面を形成した包埋皿上部水密２角面形成枠体とから構成される上部水密包埋枠部（ユニット５）であり、
該包埋皿は、包埋底部（ユニット４）は上側開口部の外周を囲む水平方向に突設した鍔状平面を形成し、その下側に包埋作業時の試料包埋底部面を形成した金属製包埋底部（ユニット４）であり、該包埋底部（ユニット４）の上部開口部の外周を囲む水平方向に突設した鍔状平面を掛け止め部に水密に嵌合する合成樹脂製の上部水密包埋枠部（ユニット５）との２種類の素材構成体ユニットで構築して、熱伝導率の良い金属製の該包埋底部（ユニット４）と包埋枠状基体と同じ収縮率で精密嵌合成形が可能な該合成樹脂製の上部水密包埋枠部（ユニット５）の機能形態を合体した２ユニットシステム複合構成体である包埋皿であり、
該包埋底部（ユニット４）は熱伝導率の良い金属製板のプレス加工で成形し、該包埋底部（ユニット４）の開口部の外周を囲む水平方向に突設した鍔状平面を前記合成樹脂製の上部水密包埋枠部（ユニット５）の掛け止め部に水密に確実に嵌め込み、前記病理・生物試料用カセットの包埋枠状基体底部と該包埋枠状基体（ユニット３）のカセットブロック薄切時のアダプター固定爪位置の底面より狭い面積で突設形成した突設側壁とが成す凹凸二角面と該合成樹脂製の上部水密包埋枠部（ユニット５）の上端面と水密包埋枠内壁とが形成する接触水密面の凹凸二角接触面で水密に嵌合連結させて、
従来の金属製包埋皿の水密枠成形では困難であった前記病理・生物試料用カセットの包埋枠状基体と水密２角面形成枠体である水密枠との水密嵌合性を高めて、包埋皿内の包埋剤の滲み溢れと試料の固定包埋薬液処理時に包埋剤に浸漬された前記病理・生物包埋ブロックカセットの包埋枠状基体の周囲からの包埋剤の垂れ溜まりを完全防止する前記合成樹脂製の上部水密包埋枠部（ユニット５）と熱伝導率の良い金属製包埋底部（ユニット４）との２ユニットシステム複合構成体で構築されることを特徴とする請求項１、２、３、４、８又は９記載の病理・生物試料用カセットの包埋枠状基体底部の合成樹脂製水密枠付き包埋皿（ユニット構成体４）。
【発明の詳細な説明】
【技術分野】
【０００１】
本発明は、患者や生物試料の病理・組織学的検査における確実なデータ伝達と包埋ブロックカセット試料の作製に関するものである。
【背景技術】
【０００２】
従来の病理・生物試料用カセットは図３３Aに示す様に上側に開口部を形成しその下側に多孔通液性の底部U3と或いは小型試料収納用仕切小部屋（図BのU6）とその外側壁にデータ記録部U1を成形した枠状基体Uと、その包埋枠状基体の上側開口部に脱着自在に嵌合・連結する多孔通液孔V3を有する蓋体Vから成る２個のパーツから成り立っていて、該多孔性底部である外側壁にデータ記録部U1を成形した枠状基体と該包埋枠状基体の上側開口部に脱着自在に嵌合・連結する多孔通液孔V3を有する蓋体Vとで構築された病理・生物試料の試料収納籠の役目と試料包埋ブロック作製時の台木の役目と該病理・生物試料の手書き又はプラスチック用印字機による試料データ番号や試料名の伝達の役目の三つの機能担当を担い実用に供されている。
実用の前記従来の病理・生物試料用カセットは、前記多孔性底部U3である成形した枠状基体Uと該包埋枠状基体の上側開口部に脱着自在に嵌合・連結する多孔通液孔V3を有する蓋体Vとで構築された病理・生物試料の試料収納籠が病理・生物試料の試料データの記録部U1を有し、該多孔性底部である成形した枠状基体Uが試料包埋ブロック作製時の台木の役目を担う試料データが該病理・生物試料の試料収納籠の試料データをそのまま引き継いで、また該包埋枠状基体の上側開口部に脱着自在に嵌合・連結する多孔通液孔（図３３のBのV3）を有する蓋体（図３３のBのV）を透明の合成樹脂製で成形すると該病理・生物試料の試料収納籠内に収納されている病理・生物試料が蓋を開けることなく内部の病理・生物試料の確認が出来るのみで、従来はその実用性は見込まれていた。
【０００３】
しかし、臨床側での患者試料や研究所での生物試料の採取時から病理・生物試料の前記試料収納籠内に移し換える標本作製時の該病理・生物試料の試料データの転記ミスや試料の入れ間違い・混入・紛失に対しては一切の機能や対策を持っていないという欠点があった。
【０００４】
更に、最近従来のカセットのデータ記録部に病理・生物試料の試料データをバーコードや二次元データコードを直接印字する印字機が開発されて、カセットデータ記録部に直接印字された従来の病理・生物試料用カセットが使用されてきている。
その実用性は確かにあるが、合成樹脂製カセットのデータ記録部には一般的に、試料データ番号や試料名の手書き用の為に、シュボが形成されていて印字機の印字角度或いはインク噴射角度に因って印字結果に擦れや印字不備が生じている。また、印字が目視的には正常でもバーコードや二次元データコードの読み取り機の読み取り認識結果は、該合成樹脂製カセットのデータ記録部のシュボ大きさや深さや角度とカセット着色の微妙な色調の差によって認識しないし、その認識データ容量も多くを期待することが出来ない状態である。
【０００５】
この改善策として、本発明者は既に特許文献１と特許文献４とで病理・生物試料用カセットに於いて、上側に開口部を形成しその下側に多孔通液性の底部とその外側壁にデータ記録部を成形した枠状基体と、その包埋枠状基体の上側開口部に脱着自在に嵌合・連結する多孔通液孔を有するデータ記録部の保護板付き蓋体を発明して、例えば印字ラベルを保護する提案をしているが、保護板付き蓋を試料包埋ブロック作製時の外してしまうので、該試料包埋ブロックのデータ記録部上に貼り付けたバーコードや二次元データコード印字ラベルは数年後には剥げ落ちる可能性が高い欠点を有していた。
【０００６】
更にまた、従来の病理・生物試料用カセットの脱着自在に嵌合・連結する多孔通液孔を有する蓋体には多孔性蓋の機能のみの役割しかなく、リサイクル蓋はステンレス製蓋にのみ期待されていて、多くの合成樹脂製蓋体は試料包埋ブロック作製時以後に医療廃棄物として廃棄されて環境破壊の原因にも成っている。
これは、従来の病理・生物試料用カセットの試料包埋ブロックの台木強度と確実な試料データの連結・伝達と包埋ブロックカセット試料の確実な保存管理の面からも大きな損失である。
【０００７】
また更に、従来の病理・生物試料用カセットではICチップ（RFID）を取り付けたカセットは本願発明者が発明した特許文献３と特許文献４にも提案されているが、本格的な実施は成されていない。それは、一つはICチップ（RFID）がまだ高価であること。二つめは多くの有機溶媒に耐薬品性のコーティング形成されたICチップ（RFID）が特に高価で少ないこと。三つ目はICチップ（RFID）には目視データが必要であるが、その目視データ記録容量が貧弱であること等々が考えられる。
【０００８】
また更に、従来の病理・生物試料用カセットでは、本願発明者が発明した特許文献１と特許文献２のバリ無し包埋皿と包埋方法と特願文献４のバリ除去装置のバリ無し包埋法と特許文献５のバリ（図４３の12a・12b）の発生が少ない包埋皿（図４３）Ｃ・Ｄ・Ｅ・Ｆが考案されているが、まだその水密枠の水密性と包埋作業の作業性と包埋皿の積み重ね収納性等々に問題があり、バリの除去作業の更なる省力と包埋作業と薄切作業の自動化と臨床・試料採取側から標本作製側への試料データの確実な連結・伝達の為には、試料包埋ブロック作製時の包埋剤のバリ発生を更に無くす工夫が必要である。
【先行技術文献】
【特許文献】
【０００９】
【特許文献１】特許第４０１３１９２号特許公報
【特許文献２】特許第４０５８７０９号特許公報
【特許文献３】特開２００８−２６０９７公開特許公報
【特許文献４】特開２００９−１６８７３７公開特許公報
【特許文献５】特開２００１−１１６６６９公開特許公報
【発明の概要】
【発明が解決しようとする課題】
【００１０】
解決しようとする問題点は、患者試料や生物試料の採取時の試料や臨床データを含む試料・検体データの病理・標本作製側への確実な伝達と病理・標本作製側データとの確かな連結を確保して、検体（試料と試料データ）の照合を保証して、検体の取り間違いや紛失・混入を最大限に防止することである。
【００１１】
解決しようとする問題点は、前記患者試料や生物試料の採取時の試料や臨床データを含む試料・検体データと病理・標本作製側データとの連結データ（例えば、検体スペック番号やカルテ番号や患者・試料名等）の試料ブロックの台木である包埋枠状基体のデータ記録部・記憶部への安全必要量のデータ自動書込と読み取りを保証することである。
【００１２】
更に解決しようとする問題点は、前記試料ブロックの台木である包埋枠状基体の試料データ記録部・記憶部を保護して試料ブロックカセット作製時以後も試料ブロックの台木である包埋枠状基体のデータ記録部・記録部が汚染したり脱落したりすることを防止することである。
【００１３】
更にまた解決しようとする問題点は、患者試料や生物試料を固定移送する際、固定移送容器内に直接に該試料のみを浸漬したり、該生検試料を収納した従来の病理・生物試料用カセットを固定液に直接に浸漬したりせずに、該生検試料の固定移送とデータの確実な伝達（メッセンジャー）と連結（リンク）が可能な臨床データを含む該試料データと該試料とを一体的に固定移送ことである。
【００１４】
更にまた解決しようとする問題点は、従来病理・生物試料用カセットの様に蓋を医療廃棄物にしないで、前記試料ブロックカセットの台木である包埋枠状基体と一体として利用することである。
【００１５】
また更に解決しようとする問題点は、包埋作業に於いて作業性は同じで、従来の包埋法（図４３）より更にバリ（図４３の12a・12b）の発生少ない完全なバリ無し包埋が出来るカセットシステムのユニットとしての包埋皿と包埋方法を確立して、試料包埋ブロックカセット周囲のバリ取り作業を無くしその作業時に生じる試料ブロックの台木である包埋枠状基体のデータ記録部・記録部の破損や傷が付くこと防止して作業性を高めすることである。
【００１６】
更にまた解決しようとする問題点は、もしトラブルが生じたら後日検証可能にすることである。
【００１７】
また更に解決しようとする問題点は、従来の病理・生物試料用カセットには無い、ユビキタスとユニットのシステムの合体を可能にしたユビキタス・ユニットカセットシステムを構築することである。
【００１８】
更にまた解決しようとする問題点は、上記の従来の病理・生物試料用カセットにはない多種の便利性や機能性を保持しながら、その使用工程は殆ど増えないことである。
【課題を解決するための手段】
【００１９】
本発明は、上側に開口部を形成し、その下側に多孔通液性の底部を形成した包埋枠状基体と、その包埋枠状基体の上側開口部に脱着自在に嵌合・連結する多孔通液孔を有する蓋体から成る病理・生物試料用カセットに於いて；
底部（ユニット１）Xと該底部（ユニット１）Xの上側開口部X9に脱着自在に嵌合・連結する多孔通液面Y3を有する蓋体（ユニット２）Yと包埋枠状基体（ユニット３）Zの機能形態を各々分離独立した３種類の構成体ユニットとして成形して、
前記底部Xは、前記包埋枠状基体（ユニット３）Zとは分離独立した上側に開口部X9を形成し該上側開口部X9の外周を囲む水平方向に突設した鍔状平面X11を形成し、その下側に少なくとも底部に多孔通液性底面X10を形成した試料収納部X6からなる生物試料収納固定移送処理用多孔容器状底部（ユニット１）X であり、前記包埋枠状基体（ユニット３）Zの介在がなくても該生物試料収納固定移送処理用多孔容器状底部（ユニット１）Xの上側開口部X9に前記多孔通液孔Y3を有する蓋体（ユニット２）Yが独自に互いに脱着自在に嵌合・連結して試料５aの固定移送と薬液処理と試料データの伝達連結をする独立した機能を担う生物試料収納固定移送処理用多孔容器籠（ユニット構成体１）（X and Y）を構築することができ、更に、該生物試料収納固定移送処理用多孔容器籠（ユニット構成体１）（X and Y）は前記包埋枠状基体（ユニット３）Zとも脱着自在に嵌合・連結して試料データの確定とバリ無し包埋ブロックの台木の機能と従来の病理・生物試料用カセット機能を担える固定用支持基台（ユニット構成体３）（X and Y and Z）を構築する３ユニットシステム複合構成体からなるユニットシステム包埋枠状基体構成体であることを特徴とする病理・生物試料用ユニットシステムカセットである。
【００２０】
また本発明は、上側に開口部を形成し、その下側に多孔通液性の底部を形成した包埋枠状基体と、その包埋枠状基体の上側開口部に脱着自在に嵌合・連結する多孔通液孔を有する蓋体から成る病理・生物試料用カセットに於いて；
底部（ユニット１）Xと、底部（ユニット１）Xと包埋枠状基体（ユニット３）Wの上側開口部（X9 and W18）に脱着自在に嵌合・連結する多孔通液孔Y3を有する蓋体（ユニット２）Yと包埋枠状基体（ユニット３）Wの機能形態を各々分離独立した３種類の構成体ユニットとして成形して、
前記底部Xは、前記包埋枠状基体（ユニット３）Wとは分離独立した上側に開口部X9を形成し該上側開口部X9の外周を囲む水平方向に突設した鍔状平面X11を形成し、その下側に少なくとも底部に多孔通液性底面X10を形成した試料収納部X6からなる生物試料収納固定移送処理用多孔容器状底部（ユニット１）Xであり、前記包埋枠状基体（ユニット３）Wの介在がなくても該生物試料収納固定移送処理用多孔容器状底部（ユニット１）Xの上側開口部X9に前記多孔通液孔Y3を有する蓋体（ユニット２）Yが独自に互いに脱着自在に嵌合・連結して試料の固定移送と薬液処理と試料データの伝達連結をする独立した機能を担う生物試料収納固定移送処理用多孔容器籠（ユニット構成体１）（X and Y）を構築することができ、前記包埋枠状基体（ユニット３）Wは、前記底部Xである生物試料収納固定移送処理用多孔容器状底部（ユニット１）Xとは異なる多孔通液性底部W10を形成する包埋枠状基体（ユニット３）Wであり、該包埋枠状基体（ユニット３）Wの上側開口部W18に前記多孔通液孔Y3を有する蓋体（ユニット２）Yが独自に互いに脱着自在に嵌合・連結して試料データの確定とバリ無し包埋ブロックの台木の機能と従来の病理・生物試料用カセット機能を担える固定用支持基台（ユニット構成体３）（Y and W）を構築する。
該生物試料収納固定移送処理用多孔容器籠（ユニット構成体１）（X and Y）と該固定用支持基台（ユニット構成体３）（Y and W）の構成ユニットである前記多孔通液孔Y3を有する蓋体（ユニット２）Yを共有活用できる３ユニットシステム複合構成体からなる独立した機能を担う生物試料収納固定移送処理用多孔容器籠（ユニット構成体１）（X and Y）と固定用支持基台（ユニット構成体３）（Y and W）とで構成するユニットシステム包埋枠状基体構成体であることを特徴とする病理・生物試料用ユニットシステムカセットである。
【００２１】
また本発明は、上側に開口部を形成し、その下側に多孔通液性の底部を形成した包埋枠状基体と、その包埋枠状基体の上側開口部に脱着自在に嵌合・連結する多孔通液孔を有する蓋体から成る病理・生物試料用カセットに於いて；
底部（ユニット１）Xと底部（ユニット１）Xの上側開口部X9に脱着自在に嵌合・連結する多孔通液面Y3を有する蓋体（ユニット２）Yと包埋枠状基体（ユニット３）Zの機能形態を各々分離独立した３種類の構成体ユニットとして成形して、
前記包埋枠状基体（ユニット３）Zは、上側に開口部Z18を有し、該開口部Z18周囲を囲む外壁上部上端面Z6或いは該開口部Z18に連なる内壁に内側に向けて突設された凸状平面Z6が形成され、該上側開口部Z18周囲を囲む外壁上部の両長辺上端面Z6の端面上に外側長辺側壁Z15を立設延長形成した包埋枠状基体（ユニット３）Zであり、該包埋枠状基体（ユニット３）Zの両外側長辺側壁上端面Z5は、前記生物試料収納固定移送処理用多孔容器状底部（ユニット１）Xの上側開口部X9の外周を囲む水平方向に突設した鍔状平面X11の厚さと該底部（ユニット１）Xの開口部X9に脱着自在に嵌合・連結する多孔通液面Y3を有する蓋体（ユニット２）Yの多孔通液面Y3の外周を囲む開閉誘導リブY8の外周平面Y10の厚さを重ねた厚さ分だけ、前記包埋枠状基体（ユニット３）Zの開口部Z18周囲を囲む外壁上部上端面Z6と該開口部Z18に連なる内壁に内側に向けて突設された凸状平面Z6より高い位置に成形される。
前記生物試料収納固定移送処理用多孔容器籠（ユニット構成体１）（X and Y）の構成体ユニットである該生物試料収納固定移送処理用多孔容器状底部（ユニット１）Xと該底部（ユニット１）Xの上側開口部X9に脱着自在に嵌合・連結する多孔通液面Y9を有する蓋体（ユニット２）Yは、該底部（ユニット１）Xの上側開口部X9の外周を囲む水平方向に突設した鍔状平面X11の長側辺と該蓋体（ユニット２）Yの多孔通液面Y9の外周を囲む開閉誘導リブY8の外周平面の長側辺とを前記包埋枠状基体（ユニット３）Zの両外側長辺側壁Z15が挟持嵌合できる形状に切り欠け部（X11a and Y10a）を形成した底部（ユニット１）Xと蓋体（ユニット２）Yであり、該生物試料収納固定移送処理用多孔容器状底部（ユニット１）Xの上側開口部X9の外周を囲む水平方向に突設した鍔状平面X11と蓋体（ユニット２）Yの多孔通液面Y9の外周を囲む開閉誘導リブY8の外周平面の厚さは前記包埋枠状基体（ユニット３）Zの外側長辺側壁Z15内に全て収納され、該包埋枠状基体（ユニット３）Zの側壁外側のデータ記録部の面積が広く保たれ、該蓋体（ユニット２）Yを廃棄することなく、試料データの確定とバリ無し包埋ブロックの台木の機能と従来の病理・生物試料用カセット機能を担える固定用支持基台（ユニット構成体３）（X and Y and Z）である包埋ブロックの台木の一部として一体的に埋込活用して包埋ブロックを作製できる３ユニットシステム複合構成体からなるユニットシステム包埋枠状基体構成体であることを特徴とする病理・生物試料用ユニットシステムカセットである。
【００２２】
更にまた本発明は、上側に開口部を形成し、その下側に多孔通液性の底部を形成した包埋枠状基体と、その包埋枠状基体の上側開口部に脱着自在に嵌合・連結する多孔通液孔を有する蓋体から成る病理・生物試料用カセットに於いて；
底部（ユニット１）Xと、底部（ユニット１）Xと包埋枠状基体（ユニット３）Wの上側開口部（X9 and W18）に脱着自在に嵌合・連結する多孔通液面Y3を有する蓋体（ユニット２）Yと包埋枠状基体（ユニット３）Wの機能形態を各々分離独立した３種類の構成体ユニットとして成形して、
前記包埋枠状基体（ユニット３）Wは、上側に開口部W18を有し下側に前記底部（ユニット１）とは異なる多孔通液性底部W10を形成する包埋枠状基体（ユニット３）Wであり、該上側開口部W18の周囲を囲む外壁上部上端面W6或いは該上側開口部W18に連なる収納内壁に内側に向けて突設された凸状平面W6が形成され、該上側開口部W18周囲を囲む外壁上部の両長辺上端面W5の端面上に外側長辺側壁W15を立設延長形成した包埋枠状基体（ユニット３）Wであり、該包埋枠状基体（ユニット３）Wの両側長辺側壁W15の上端面W15は、前記生物試料収納固定移送処理用多孔容器状底部（ユニット１）Xの上側開口部X9に脱着自在に嵌合・連結する多孔通液面Y9を有する蓋体（ユニット２）Yの多孔通液面Y9の外周を囲む開閉誘導リブY8の外周平面の厚さ分だけ前記包埋枠状基体（ユニット３）Wの開口部W18周囲を囲む外壁上部上端面W6と該開口部W18に連なる内壁に内側に向けて突設された凸状平面W6より高い位置に成形されている。
前記生物試料収納固定移送処理用多孔容器籠（ユニット構成体１）の構成体ユニットである該生物試料収納固定移送処理用多孔容器状底部（ユニット１）の上側開口部に脱着自在に嵌合・連結する多孔通液孔を有する蓋体（ユニット２）は、該蓋体（ユニット２）の多孔通液面の外周を囲む開閉誘導リブの外周平面の長側辺を前記包埋枠状基体（ユニット３）の両外側長辺側壁が挟持嵌合できる形状に切り欠け部を形成した蓋体であり、該生物試料収納固定移送処理用多孔容器状底部（ユニット１）の蓋体（ユニット２）は前記包埋枠状基体（ユニット３）の蓋体（ユニット２）としても共有活用されて、該蓋体（ユニット２）の多孔通液面の外周を囲む開閉誘導リブの外周平面の厚さは該包埋枠状基体（ユニット３）内に全て収納され側壁外側のデータ記録部の面積が広く保たれる。また、該多孔通液孔を有する蓋体（ユニット２）が該包埋枠状基体（ユニット３）の長辺側壁内に収まりカセット収納容積の減少を防ぐために、その厚さ分該包埋枠状基体（ユニット３）の多孔通液性底部の成形位置をカセットブロック薄切時のアダプター固定爪位置Ｚ14の底面より狭い面積で突設成形した袴状の突設側壁Z11に成形する。
該包埋枠状基体（ユニット３）Wは前記生物試料収納固定移送処理用多孔容器籠（ユニット構成体１）（X and Y）の構成ユニットである前記多孔通液面Y9を有する蓋体（ユニット２）Yを該包埋枠状基体（ユニット３）Wの上側開口部W18にも脱着自在に嵌合・連結する多孔通液面Y9を有する蓋体として共有できて、該蓋体（ユニット２）Yを廃棄することなく、包埋ブロックの台木の一部として一体的に埋込活用して包埋ブロックを作製できるブロック試料の固定用支持基台（ユニット構成体３）（Y and W）を構築することができる。該生物試料収納固定移送処理用多孔容器籠（ユニット構成体１）（X and Y）と該固定用支持基台（ユニット構成体３）（Y and W）の構成ユニットである前記多孔通液面Y9を有する蓋体（ユニット２）Yを共有活用できる３ユニットシステム複合構成体からなる独立した機能を担う生物試料収納固定移送処理用多孔容器籠（ユニット構成体１）（X and Y）と独立した試料データの確定とバリ無し包埋ブロック試料の台木の機能と従来の病理・生物試料用カセット機能を担える固定用支持基台（ユニット構成体３）（Y and W）とで構成することを特徴とする病理・生物試料用ユニットシステムカセットある。
【００２３】
更にまた本発明は、上側に開口部を形成し、その下側に多孔通液性の底部を形成した包埋枠状基体と、その包埋枠状基体の上側開口部に脱着自在に嵌合・連結する多孔通液孔を有する蓋体から成る病理・生物試料用カセットに於いて；
底部（ユニット１）Xと底部（ユニット１）Xの上側開口部X9に脱着自在に嵌合・連結する多孔通液面Y3を有する蓋体（ユニット２）Yと包埋枠状基体（ユニット３）Zの機能形態を各々分離独立した３種類の構成体ユニットとして成形して、
前記底部（ユニット１）Xである生物試料収納固定移送処理用多孔容器状底部（ユニット１）Xと前記包埋枠状基体（ユニット３）Zとの２ユニットシステム複合構成体で構築される病理組織試料用カセットの機能形態であるユニットシステム包埋枠状基体多孔通液性容器底部（ユニット構成体２）（X and Z）の構成ユニットである該生物試料収納固定移送処理用多孔容器状底部（ユニット１）Xが、
多孔通液性底面X10を形成した試料収納部X6と上側開口部X9の外周を囲む水平方向に突設した該鍔状平面X11とで構成される該生物試料収納固定移送処理用多孔容器状底部（ユニット１）Xの上側開口部X9の外周を囲む水平方向に突設した該鍔状平面X11の少なくても１辺を該包埋枠状基体（ユニット３）Zの外側面のデータ記録部の傾斜面Z1に沿って延長成形して、該包埋枠状基体（ユニット３）Zの外周側面に傾斜形成設置されたデータ記録部Z1を抑え覆う保護板兼データ記録部X1を一体的に成形した２ユニットシステム複合構成体で構築される病理・生物試料用カセットの機能形態であるユニットシステム包埋枠状基体多孔通液性容器底部（ユニット構成体２）（X and Z）の構成ユニットであることを特徴とする病理・生物試料用ユニットシステムカセットの構成体ユニットである保護板兼データ記録部付き多孔通液性容器状底部（ユニット１）Xである。
【００２４】
更にまた本発明は、上側に開口部を形成し、その下側に多孔通液性の底部を形成した包埋枠状基体と、その包埋枠状基体の上側開口部に脱着自在に嵌合・連結する多孔通液孔を有する蓋体から成る病理・生物試料用カセットに於いて；
底部（ユニット１）Xと底部（ユニット１）Xの上側開口部X9に脱着自在に嵌合・連結する多孔通液面Y3を有する蓋体（ユニット２）Yと包埋枠状基体（ユニット３）Zの機能形態を各々分離独立した３種類の構成体ユニットとして成形して、
前記底部（ユニット１）Xである生物試料収納固定移送処理用多孔容器状底部（ユニット１）Xと該底部（ユニット１）Xの上側開口部X9に独自に互いに脱着自在に嵌合・連結する前記多孔通液面Y3を有する蓋体（ユニット２）Yとの２ユニットシステム複合構成体で構築される独立した機能を担う生物試料収納固定移送処理用多孔容器籠（ユニット構成体１）（X and Y）の構成ユニットである該底部（ユニット１）Xの上側開口部X9の外周を囲む水平方向に突設した該鍔状平面X11の少なくても１辺を前記包埋枠状基体（ユニット３）Zの外側面のデータ記録部の傾斜面Z1に沿って延長成形して、該包埋枠状基体（ユニット３）Zの外周側面に傾斜形成設置されたデータ記録部Z11を保護し抑え覆う該底部（ユニット１）Xの保護板兼データ記録部X1を更に保護するために、前記多孔通液面Y3を有する蓋体（ユニット２）Yの多孔通液面Y3の外周を囲む開閉誘導リブY8の外周平面の少なくても1辺にも同様に一体的保護板Y1を成形して、該生物試料収納固定移送処理用多孔容器状底部（ユニット１）Xの保護板兼データ記録部X1上の汚れや該データ記録部に印字貼られたデータラベルの剥離や汚れを防止する保護板Y1付き蓋体（ユニット２）Yと保護板兼データ記録部X1付き底部（ユニット１）Xとの２ユニットシステム複合構成体で構築される独立した機能を担う試料データ記録部付き生物試料収納固定移送処理用多孔容器籠（ユニット構成体１）（X and Y）の２重のデータ記録部兼保護板（X1 and Y1）が前記包埋枠状基体（ユニット３）Zの外側面のデータ記録部Z1を挟持保護して多孔通液面Y3を有する蓋体Yを廃棄しないで活用できる３ユニットシステム複合構成体で構築される試料データの確定とバリ無し包埋ブロックの台木の機能と従来の病理・生物試料用カセット機能を担える固定用支持基台（ユニット構成体３）（X and Y and Z）で構成されることを特徴とする病理・生物試料用ユニットシステムカセットの構成体ユニットである保護板兼データ記録部付き生物試料収納固定移送処理用多孔容器状底部（ユニット１）Xと保護板付き多孔通液面Ｙ３を有する蓋体（ユニット２）Yである。
【００２５】
また更に本発明は、上側に開口部を形成し、その下側に多孔通液性の底部を形成した包埋枠状基体と、その包埋枠状基体の上側開口部に脱着自在に嵌合・連結する多孔通液孔を有する蓋体から成る病理・生物試料用カセットに於いて；
底部（ユニット１）Xと、底部（ユニット１）Xと包埋枠状基体（ユニット３）Wの上側開口部（X9 and W18）に脱着自在に嵌合・連結する多孔通液面Y3を有する蓋体（ユニット２）Yと包埋枠状基体（ユニット３）Wの機能形態を各々分離独立した３種類の構成体ユニットとして成形して、
前記底部（ユニット１）Xである生物試料収納固定移送処理用多孔容器状底部（ユニット１）Xと該底部（ユニット１）Xの上側開口部X9に独自に互いに脱着自在に嵌合・連結する前記多孔通液面Y3を有する蓋体（ユニット２）Yとの２ユニットシステム複合構成体で構築される独立した機能を担う生物試料収納固定移送処理用多孔容器籠（ユニット構成体１）（X and Y）と前記包埋枠状基体（ユニット３）Wから構築される３ユニットシステム複合構成体である病理・生物試料用ユニットシステムカセットの構成体ユニットである該生物試料収納固定移送処理用多孔容器状底部（ユニット１）Xの上側開口部X9の外周を囲む水平方向に突設した鍔状平面X11の少なくても１辺を該包埋枠状基体（ユニット３）Wの外周側面に傾斜形成設置されたデータ記録部W1と同じ傾斜角度で延長してデータ記録部X1を成形し、更に該生物試料収納固定移送処理用多孔容器状底部（ユニット１）Xに形成されたデータ記録部X1に沿って該底部（ユニット１）Xに脱着自在に嵌合・連結する前記多孔通液面Y3を有する蓋体（ユニット２）Yの多孔通液面Y3の外周を囲む開閉誘導リブY8の外周平面の少なくても1辺にも同様に一体的保護板Y1を前記生物試料収納固定移送処理用多孔容器状底部（ユニット１）Xに形成されたデータ記録部X1を保護し抑え覆う形状に成形して、該データ記録部付き底部（ユニット１）Xと該底部（ユニット１）Xの上側開口部X9に独自に互いに脱着自在に嵌合・連結する前記多孔通液面Y3を有する保護板Y1付き蓋体（ユニット２）Yとの２ユニットシステム複合構成体で構築される独立した機能を担う生物試料収納固定移送処理用多孔容器籠（ユニット構成体１）（X and Y）の構成ユニットである多孔通液面Y3を有する保護板Y1付き蓋体（ユニット２）Yが、前記包埋枠状基体（ユニット３）Wの外周側面に傾斜形成設置されたデータ記録部W1を保護できる保護板Y1付き蓋体（ユニット２）Yとして共有活用できることを特徴とする病理・生物試料用ユニットシステムカセットの２ユニットシステム複合構成体であるデータ記録部兼保護板付き生物試料収納固定移送処理用多孔容器籠（ユニット構成体１）（X and Y）である。
【００２６】
また更に本発明は、上側に開口部を形成し、その下側に多孔通液性の底部を形成した包埋枠状基体と、その包埋枠状基体の上側開口部に脱着自在に嵌合・連結する多孔通液孔を有する蓋体から成る病理・生物試料用カセットに於いて；
底部（ユニット１）Xと底部（ユニット１）Xの上側開口部X9に脱着自在に嵌合・連結する多孔通液面Y3を有する蓋体（ユニット２）Yと包埋枠状基体（ユニット３）Zの機能形態を各々分離独立した３種類の構成体ユニットとして成形して、
前記包埋枠状基体（ユニット３）Zは、上側に開口部Z18を有し、該開口部Z18の周囲を囲む外壁上部上端面Z6或いは該上側開口部Z18に連なる内壁に内側に向けて突設された凸状平面Z6を形成し、該包埋枠状基体（ユニット３）Zの外側壁の両前部外側面Z15に上端面Z6から下端面Z14に通じる凹部Z8を形成して、該凹部Z8の上部に前記底部（ユニット１）Xとも脱着自在に嵌合・連結する前記蓋体（ユニット２）Yの前部両側凸状垂設係止部Y2の掛け止め部Z9を該包埋枠状基体（ユニット３）Zの両前部外側凹部に外側面の上側一部を凹部側に掛け止め部Z9として凸設状に残し形成し、後部外壁にも前記蓋体（ユニット２）Yの後部の係止部Y4を掛け止める掛け止め部Z12を成形した包埋枠状基体（ユニット３）Zであり、該包埋枠状基体（ユニット３）Zは底部（ユニット１）Xと蓋体（ユニット２）Yと脱着自在に嵌合・連結して３ユニットシステム複合構成体である固定用支持基台（ユニット構成体３）（X and Y and Z）を構築する。
前記底部（ユニット１）Xは、前記包埋枠状基体（ユニット３）Zとは分離独立した上側に開口部X9を形成し、その下側に少なくとも底部に多孔通液性底面X10を形成した試料収納部X6からなる生物試料収納固定移送処理用多孔容器状底部（ユニット１）Xであり、該底部（ユニット１）Xは上側開口部X9の外周を囲む水平方向に突設した鍔状平面X11を形成し、該鍔状平面X11の前部には前記蓋体（ユニット２）Xの前部凸状垂設係止部Y2の掛け止め部X2があり、該掛け止め部X2は前記包埋枠状基体（ユニット３）Zの外側壁Z15の前記前部両外側凹部Z8に外側面の上側一部を凹部側に掛け止め部Z9として凸設状に残し形成した凹部に一致する切り欠け部X2aの端部X2であり、該底部（ユニット１）Xの後部にも前記蓋体（ユニット２）Yの後部係止部Y4の掛け止め部X5を形成している。該底部（ユニット１）Xは蓋体（ユニット２）Yと脱着自在に嵌合・連結して２ユニットシステム複合構成体である生物試料収納固定移送処理用多孔容器籠（ユニット構成体１）（X and Y）を構築する。
該多孔通液面Y3を有する蓋体（ユニット２）Yは、前部両側に凸状垂設係止部Y2を形成し、後部にも前記底部（ユニット１）Xと前記包埋枠状基体（ユニット３）Zとも共用する係止部Y4を形成している。該蓋体（ユニット２）Yは２ユニットシステム複合構成体で構築される生物試料収納固定移送処理用多孔容器籠（ユニット構成体１）（X and Y）と３ユニットシステム複合構成体で構築される固定用支持基台（ユニット構成体３）（X and Y and Z）との共通の構成ユニットである。
該生物試料収納固定移送処理用多孔容器状底部（ユニット１）Xと該多孔通液面Y3を有する蓋体（ユニット２）Yと該包埋枠状基体（ユニット３）Zとから構築されるユニットシステム複合構成体である生物試料収納固定移送処理用多孔容器籠（ユニット構成体１）（X and Y）と固定用支持基台（ユニット構成体３）（X and Y and Z）とが同一の多孔通液面Y3を有する蓋体（ユニット２）Yを共有活用することで構築されることを特徴とするユニットシステム包埋枠状基体構成体である病理・生物試料用ユニットシステムカセットである。
【００２７】
また更に本発明は、上側に開口部を形成し、その下側に多孔通液性の底部を形成した包埋枠状基体と、その包埋枠状基体の上側開口部に脱着自在に嵌合・連結する多孔通液孔を有する蓋体から成る病理・生物試料用カセットに於いて；
底部（ユニット１）Xと底部（ユニット１）Xの上側開口部X9に脱着自在に嵌合・連結する多孔通液面Y3を有する蓋体（ユニット２）Yと包埋枠状基体（ユニット３）Zの機能形態を各々分離独立した３種類の構成体ユニットとして成形して、
前記包埋枠状基体（ユニット３）Zは、上側と下側とに開口部（Z18、Z16）を有し、該上側から下側への開口部（Z18、Z16）に連結した貫通孔部Z17を形成し、上側Z18から下側開口部Z16に連結した前記貫通孔部Z17の該上側開口部Z18の周囲を囲む外壁上部上端面Z6或いは該上側開口部Z18に連なる貫通孔部内壁に内側に向けて突設された凸状平面Z6を形成し、該包埋枠状基体（ユニット３）Zの外側壁の両前部外側面Z15に上端面Z6から下端面Z14に通じる凹部Z8を形成して、該凹部Z8の上部に前記底部（ユニット１）Xとも脱着自在に嵌合・連結する前記蓋体（ユニット２）Yの前部凸状垂設係止部Y2の掛け止め部Z9を該包埋枠状基体（ユニット３）Zの両前部外側凹部Z8に外側面の上側一部を凹部側に掛け止め部Ｚ９として凸設状に残し形成し、後部外壁にも前記蓋体（ユニット２）Yの後部の係止部Y4を掛け止める掛け止め部Z12を成形した包埋枠状基体（ユニット３）Zである。
前記底部（ユニット１）Xは、前記包埋枠状基体（ユニット３）Zとは分離独立した上側に開口部X9を形成し、その下側に少なくとも底部に多孔通液性底面X10を形成した試料収納部X6からなる生物試料収納固定移送処理用多孔容器状底部（ユニット１）Xであり、前記包埋枠状基体（ユニット３）Zの介在がなくても該底部（ユニット１）Xの上側開口部X9に前記多孔通液面Y3を有する蓋体（ユニット２）Yが独自に互いに脱着自在に嵌合・連結して独立した機能を担う生物試料収納固定移送処理用多孔容器籠（ユニット構成体１）（X and Y）を構築することができる。
該底部（ユニット１）Xは上側開口部X9の外周を囲む水平方向に突設した鍔状平面X11を形成し、該鍔状平面X11の前部には前記蓋体（ユニット２）Yの前部の両側凸状垂設係止部Y2の前部両側掛け止め部X2が成形されていて、該底部（ユニット１）Xの前部両側掛け止め部X2は、前記包埋枠状基体（ユニット３）Zの外側壁Z15の前部両外側に上端面Z6から下端面Z14に通じる凹部Z8の上部に外側面の上側一部を凹部側に突設状に残し形成した掛け止め部Z9の上側に重なる形状に成形されている。更に該底部（ユニット１）Xの前部両側掛け止め部X2は該底部（ユニット１）Xの上側開口部X9の外周を囲む水平方向に突設した鍔状平面X11の両側長辺側の切り欠け部X2aの端部で形成されており、該切り欠け部X2aは前記包埋枠状基体（ユニット３）Zの外側壁Z15の前部両外側に上端面Z6から下端面Z14に通じる凹部Z8に重なる形状であり、該包埋枠状基体（ユニット３）Zの凹部Z8の上部外側面の凹部側に突設状に残し形成した掛け止め部Z9の上部に重なる該底部（ユニット１）Xの切り欠け部X2aの端部が前部両側掛け止め部X2に一致する。更に、後部にも前記蓋体（ユニット２）Yの後部係止部Y4の掛け止め部X5を形成した多孔通液性容器状底部（ユニット１）Xであり、前記包埋枠状基体（ユニット３）Zの上側から下側への開口部（Z18、Z16）に連結した貫通孔部Z17に脱着自在に挿入嵌合できる試料収納部X6と該鍔状平面X11を前記包埋枠状基体（ユニット３）Zの開口部Z18外周の上端面Z6上に或いは前記上側開口部Z18に連なる貫通孔部Z17内壁に内側に向けて突設された凸状平面Z6上に掛け止め嵌合設置して、該生物試料収納固定移送処理用多孔容器状底部（ユニット１）Xが前記包埋枠状基体（ユニット３）Zの下側開口部Z16側に脱落しない防止機能を持ち、該底部（ユニット１）Xは前記包埋枠状基体（ユニット３）Zと互いに嵌合・連結して２ユニットシステム複合構成体で構築される病理組織試料用カセットの機能形態であるユニットシステム包埋枠状基体多孔通液性容器底部（ユニット構成体２）（X and Z）を構築する。
前記多孔通液面Y3を有する蓋体（ユニット２）Yは、前部両側に凸状垂設係止部Y2を形成し、後部にも前記底部（ユニット１）Xの掛け止め部X5と前記包埋枠状基体（ユニット３）Zの掛け止め部Z12で成す二角の重なりで構築される掛け止め部に掛け止めできる係止部Y4を形成しており、前記底部（ユニット１）Xの上側開口部X9にも脱着自在に嵌合・連結して、更に該底部（ユニット１）Xの上側開口部X9の外周を囲む水平方向に突設した鍔状平面X11を、該多孔通液面Y3を有する蓋体（ユニット２）Yの多孔通液面Yの外周を囲む開閉誘導リブY8の外周平面下と該包埋枠状基体（ユニット３）Zの開口部外周の上端面Z6上に或いは上側開口部Z18に連なる貫通孔部Z17内壁に内側に向けて突設された凸状平面Z6上で挟持して嵌合・連結して固定用支持基台（ユニット構成体３）（X and Y and Z）を構築している。更に該多孔通液面Y3を有する蓋体（ユニット２）Yの前部両側凸状垂設係止部Y2と後部係止部Y4の該生物試料収納固定移送処理用多孔容器状底部（ユニット１）Xと該包埋枠状基体（ユニット３）Zの前部と後部の掛け止めに於いて、該蓋体（ユニット２）Yの前部両側凸状垂設係止部Y2と後部係止部Y4の該底部（ユニット１）Xと該包埋枠状基体（ユニット３）Zの両前部（図１、図３の拡大図のX2 and Z9・Z10）と後部掛け止め部（図７、図８、図１０の拡大図、図１１のX5 and Z12）はそれぞれ該底部（ユニット１）Xと該包埋枠状基体（ユニット３）Zの掛け止め部が成す二角の重なりで構築される掛け止め部で構成されるので該蓋体（ユニット２）Yと、該底部（ユニット１）Xと該包埋枠状基体（ユニット３）Zの掛け止め部の嵌合・係止支点は各々共通共用している。該蓋体（ユニット２）Yの係止部と該底部（ユニット１）Xと該包埋枠状基体（ユニット３）Zの掛け止め部の嵌合・係止支点が各々共通共用出来ることを特徴とするユニットシステム包埋枠状基体構成体からなる病理・生物試料用ユニットシステムカセットである。
【００２８】
また更に本発明は、上側に開口部を形成し、その下側に多孔通液性の底部を形成した包埋枠状基体と、その包埋枠状基体の上側開口部に脱着自在に嵌合・連結する多孔通液孔を有する蓋体とから成る病理・生物試料用カセットの包埋枠状基体のデータ記録部等外周部に付着して病理・生物試料包埋ブロックカセットの薄切時に邪魔をして、その除去時にデータ記録部を損傷させる包埋剤の余分なバリを除去又はバリを発生させない包埋皿に於いて；
包埋底部（ユニット４）Sと包埋底部（ユニット４）Sの上側開口部S4の外周を囲む水平方向に突設した鍔状平面S3に嵌合・連結する、上側と下側とに開口部（T6、T11、T13、T19） を有し該上側から下側への開口部に連結した貫通孔部（T12、T14）を形成する上部水密包埋枠部（ユニット５）Tの機能形態を各々分離独立した２種類の素材構成体ユニットとして成形して
包埋底部（ユニット４）Sは熱伝導率の良い金属製板のプレス加工で成形し、該包埋底部Sは上側開口部S4の下側には包埋時に包埋試料が載せられる収納底部S1があり該上側開口部S4の外周を囲む水平方向に突設した鍔状平面S3を形成している金属製構成体ユニットであり、
前記上部水密包埋枠部Tは上側T13と下側T19とに開口部を有し、該上側から下側への開口部（T13、T19）に連結した貫通孔部T14を形成し、上側から下側開口部（T13、T19）に連結した前記貫通孔部T14の該上側開口部T13の周囲を囲む外壁上部上端面T4或いは該上側開口部T13に連なる貫通孔部T14内壁に内側に向けて突設された凸状平面T4を形成して、該上側開口部T13の周囲を囲む外壁上部上端面T4或いは該上側開口部T13に連なる貫通孔部T14内壁に内側に向けて突設された凸状平面T4上に前記包埋底部（ユニット４）Sの収納底部S1の上側開口部S4の外周を囲む水平方向に突設した鍔状平面S3の四方全周を掛け止め設置できる前記包埋底部（ユニット４）Sの下部嵌合連結包埋底部支持体Taと該下部嵌合連結包埋底部支持体Taの上側に嵌合連結して上側T6と下側T11とに開口部を有し、前記上側から下側への開口部（T6、T11）に連結した貫通孔部T12を形成し、上側から下側開口部（T6、T11）に連結した前記貫通孔部T12の該上側開口部T6の周囲を囲む外壁上部上端面T2或いは該上側開口部T6に連なる貫通孔部T12内壁に内側に向けて突設された凸状平面T3を形成した包埋皿上部水密２角面形成枠体Tとから構成される上部水密包埋枠部（ユニット５）Tである。
該包埋皿は、包埋底部（ユニット４）Sは上側開口部S4の外周を囲む水平方向に突設した鍔状平面S3を形成し、その下側に包埋作業時の試料包埋底部S1面を形成した金属製包埋底部（ユニット４）Sであり、該包埋底部（ユニット４）Sの上部開口部S4の外周を囲む水平方向に突設した鍔状平面S3を掛け止め部に水密に嵌合する合成樹脂製の上部水密包埋枠部（ユニット５）Tとの２種類の素材構成体ユニットで構築して、熱伝導率の良い金属製の該包埋底部（ユニット４）Sと同じ収縮率で精密嵌合成形が可能な該合成樹脂製の上部水密包埋枠部（ユニット５）Tの機能形態を合体した２ユニットシステム複合構成体である包埋皿である。
該包埋底部（ユニット４）Sは熱伝導率の良い金属製板のプレス加工で成形し、該包埋底部（ユニット４）Sの開口部S4の外周を囲む水平方向に突設した鍔状平面S3を前記合成樹脂製の上部水密包埋枠部（ユニット５）Tの掛け止め部T4に水密に確実に嵌め込み、前記病理・生物試料用カセットの包埋枠状基体底部Z14と該包埋枠状基体（ユニット３）の多孔通液性底部の成形位置をカセットブロック薄切時のアダプター固定爪位置の底面より狭い面積で突設形成した突設側壁Z11とが成す凹凸二角面と該合成樹脂製の上部水密包埋枠部（ユニット５）Tの上端面T2と水密包埋枠内壁T3とが形成する接触水密面の凹凸二角接触面で水密に嵌合連結させて、
従来の金属製包埋皿の水密枠成形では困難であった前記病理・生物試料用カセットの包埋枠状基体Zの底面と水密２角面形成枠体Tである水密枠との水密嵌合性を高めて、包埋皿内の包埋剤12の滲み溢れと試料15aの固定包埋薬液処理時に包埋剤12に浸漬された前記病理・生物包埋ブロックカセットの包埋枠状基体の周囲からの包埋剤の垂れ溜まりである包埋剤の余分なバリ12bを完全防止する前記合成樹脂製の上部水密包埋枠部（ユニット５）Tと熱伝導率の良い金属製包埋底部（ユニット４）Sとの２ユニットシステム複合構成体で構築されることを特徴とする病理・生物試料用カセットの包埋枠状基体底部の合成樹脂製水密枠付き包埋皿（ユニット構成体４）（S and T）である。
【発明の効果】
【００２９】
従来の病理・生物試料用カセットの機能は（１）試料の薬液処理籠の機能と（２）患者・生物組織試料のデータ記載機能と（３）試料包埋ブロックの台木機能と（４）透明な多孔通液性を有する蓋を用いるとカセット内部の試料が確認できるのみであったが、
【００３０】
本発明の３ユニットシステム複合構成体からなるユニットシステム包埋枠状基体構成体である病理・生物試料用ユニットシステムカセットは患者・生物採取試料の独立した機能を担うデータ記録部兼保護板付き生物試料収納固定移送処理用多孔容器籠（ユニット構成体１））（X and Y）の機能が加わった事により、その他に、例えば臨床側（図４４A）からの病理診断依頼時の検体［患者・生検採取試料や切り出しトリミング試料の臨床側患者データ（病理診断依頼書）］の固定移送時に、該多孔容器籠（ユニット構成体１））（X and Y）の構成ユニットであるデータ記録部兼保護板付き生物試料収納固定移送処理用多孔容器状底部Xのデータ記録部X1に、臨床側（図４４A）で患者名・試料名３を鉛筆等で記載して（図２・図９・図４４c）透明な保護板付き多孔通液面Y3を有する蓋体（ユニット２）Yを閉じて専用の固定移送容器（図４４のBの６）内に収納して、病理検査依頼書と一緒に病理検査・標本作製側に移送できる。この時、包埋枠状基体Zは固定液（図４４のBの１５）に浸漬せずに患者・生検試料５の固定移送・薬液処理が出来る独立した機能を担うデータ記録部兼保護板付き生物試料収納固定移送処理用多孔容器籠（ユニット構成体１）（X and Y）に患者・生検試料５を収納して固定液１５に浸漬して検査・標本作製現場側に移送することが出来るので、包埋枠状基体ZはRFID（ICチップ）２を収納して該包埋枠状基体Zを容器の外側に嵌合連結できる専用の固定移送容器（図４４のBの６）と一緒に臨床側に送っておけば該RFID（ICチップ）２内に患者属性や臨床試料データがデジタルデータとして送れて依頼書のペーパレスが可能になる。勿論、該包埋枠状基体Zを検査側に置いておくことも出来る。
【００３１】
更に、臨床側（図４４A）から移送されてきた患者試料検体（患者試料５と病理検査依頼書等該患者試料データ）を病理検査・標本作製現場側で、該患者の病理検査依頼書と固定移送容器６に貼られた患者属性記載ラベル６cを確認・照合の上受付・受領後、該患者検体の切り出し（図１８A）時に作業者が前期固定移送容器６から患者試料５が収納されている独立した機能を担うデータ記録部兼保護板付き生物試料収納固定移送処理用多孔容器籠（ユニット構成体１）（X and Y）を取り出して該底部Xのデータ記録部X1の患者名・試料名（図２・図９・図４４cの３）を確認後、該患者試料５の病理検査依頼書と固定移送容器６とも照合して、該患者試料５を確認・観察・トリミングの上、該底部Xのデータ記録部X1の患者名・試料名（図２・図９・図４４cの３）の上から検体試料番号１aとバーコード又は二次元データコード１b等が印字されたデータ記録ラベル（図１８B・図４４Dの１）を貼り付ける。この時図１８B又は図４４Dに記載のラベル自動貼り印字機を使用するとより便利である。該底部Xのデータ記録部X1にデータ記録ラベル１を貼り付けた後に再度透明な保護板付き多孔通液面Y3を有する蓋体（ユニット２）Yを閉じて患者試料（５又は５a）が収納固定されている該多孔容器籠（ユニット構成体１）（X and Y）を該多孔容器籠（ユニット構成体１）（X and Y）ごと図１９A・B・C・Dと図２０のA・Bと図４４Fに説明しているように自動固定包埋装置の処理籠９に収納して試料５の固定・脱水・脱脂・透徹・包埋剤浸透作業工程を進める事が出来る。即ち、本発明の３ユニットシステム複合構成体からなるユニットシステム包埋枠状基体構成体である病理・生物試料用ユニットシステムカセットの構成ユニットであるデータ記録部兼保護板付き生物試料収納固定移送処理用多孔容器状底部（ユニット１）Xのデータ記録部X1上の臨床側（図４４A）で記載された患者名・試料名３は臨床側での患者試料（図４４A・B・C）５採取（図４４A）時から患者試料検体（患者試料５と病理検査依頼書等該患者試料データ）の固定移送（図４４B）と病理検査・標本作製現場での検体の受付・受領（図４４B）・確認・照合・切り出し（図１８A・B、図１９A・B・C・D、図２０A・B、図４４B・C・D）と包埋作業（図２１A・B、図２２A・B、図２３A・B、図２４A・B、図２５A・B、図２６A・B、図３０A・B・C、図３１A・B、図３２A・B・C、図４４E・G）と試料包埋ブロックの薄切作業（図３２D・E、図４４H）と薄切作業完了後の包埋ブロック試料の保管管理までの全ての工程に確実に患者試料と一緒に付いて回り、更に病理検査・標本作製側での患者試料検体の受付・受領（図４４B）・確認・照合・切り出し（図１８A・B、図１９A・B・C・D、図２０A・B、図４４B・C・D）段階で該患者名・試料名３の上に該患者試料の検体試料番号１aが確実に貼られて一体となるので患者の臨床・試料データとその属性・既往歴を含む病理・標本作製側データとの直接で確実な伝達（メッセンジャー）と連結（リンク）が完成する。この時本発明者が同時出願しているスポンジゲル製マット（図４４Bの１０）を併用すると患者試料の挫滅・変形・移動・混入・紛失が無い確実な臨床側と病理検査側との患者試料データの伝達と連結が完成し最良な標本作製と病理診断が出来ることになる��
【００３２】
更に、従来の病理・生物試料用カセットには無い固定薬液処理籠（ユニット構成体１）と包埋枠状基体（ユニット３）の脱着自在な機能合体と、更なる合成樹脂製の上部水密包埋枠部（ユニット５）Tと熱伝導率の良い金属製包埋底部（ユニット４）Sとの２ユニットシステム複合構成体で構築される合成樹脂製水密枠付き包埋皿（ユニット構成体４）（S and T）のユニットシステムの合体包埋によって完全なバリ無し包埋ができる。
【００３３】
更に、多孔通液孔を有する蓋体（ユニット２）を包埋枠状基体の厚さであるカセット試料包埋ブロックの薄切時のアダプター固定爪位置内に納め一体化した包埋試料ブロックを作製ことにより、従来の病理・生物試料用カセットのような蓋体の医療廃棄物が出ない。
【００３４】
更に、試料包埋ブロックの強度が、蓋がブロック台木の中に収まった分頑丈になった。
【００３５】
更にまた、バーコードや二次元データコードをデータ記録ラベルに印字し透明な保護板で挟持保護してデータ記録伝達を基本にしているので、従来の合成樹脂上に直接印字するより試料データの記録部のデータ量が大きくでき、且つ印字機が安価になった。
【００３６】
更にまた独立した機能を担うデータ記録部兼保護板付き生物試料収納固定移送処理用多孔容器籠（ユニット構成体１）（X and Y）と包埋枠状基体（ユニット３）の独立と脱着自在の嵌合・連結のユニット構成によってRFID（ICチップ）２の耐薬品性を気にしなくても使用可能になり、RFID（ICチップ）２の使用範囲が広がり、耐薬品性の弱い安価なRFID（ICチップ）２の使用も可能になった。
【００３７】
更にまた、発明者が同時発明出願したスポンジゲル製マットを使用すると試料の挫滅・変形・移動・混入・紛失を防ぎ、病理・生物試料用ユニットシステムカセットの製造コストと在庫管理コストを下げることができた。
【００３８】
更にまた、患者試料の挫滅・変形・移動・混入・紛失を防止したシステムであるが、万が一トラブルが生じたらその原因と責任を後日に検証できる。
【００３９】
更にまた、以上の１３機能を持っているがその標本作製現場での使用方法は従来と殆ど変わらない。
【図面の簡単な説明】
【００４０】
【図１】図１は本発明の３ユニットシステム複合構成体からなるユニットシステム包埋枠状基体構成体で構築された病理・生物試料用ユニットシステムカセットの実施形態を示す説明図である。図１Aはユニット構成体１とユニット３の嵌合・連結を示した平面図で、図１Bは病理・生物試料用ユニットシステムカセットの平面図で、図１Cは図１Bの側面図で、図1Dは図１Cの一部の拡大図であり、図１Eは図１Bの両矢印直線部の縦断面図である。透明部分はドット模様で表現している。
【図２】図２は図１の一部を分解した説明図である。図２Aは平面図で、図２Bは側面図で、図２Cは縦断面図である。
【図３】図３は図２のユニットである部分毎の嵌合・連結を示す説明図である。図３Aは平面図で、図３Bは側面図とその一部の拡大図で、図３Cは図３Aの両矢印直線部の縦断面図である。透明部分はドット模様で表現している。
【図４】図４は図１の全てのユニット毎の説明図である。図４Aは側面図で、図４Bは縦断面図である。
【図５】図５は図４のユニット毎の裏面説明図である。
【図６】図６は図５のユニット部分を使用した実施態様を示す裏面説明図である。図６Aは分解図で、図６Bは嵌合・連結した裏面図である。
【図７】図７は図５の一部分であるユニット３の説明図である。図７Aは後面図で、図７Bは平面図である。
【図８】図８は図７の他の実施例を示す説明図である。図８Aは平面図であり、図８Dは後面図であり、図８Bと図８Cと図８Eは実施態様を示す断面図である。
【図９】図９は図１の実施態様を示す正面図である。透明部分はドット模様で表現している。
【図１０】図１０は図３の実施態様を示す説明図である。図１０Aは後面図であり、図１０Bは縦断面図で、図１０Cは図１０Bの後部の一部拡大図である。
【図１１】図１１Aは図１の実施態様を示す後面図で図１１Bは対応する縦断面図と後部拡大図である。透明部分はドット模様で表現している。
【図１２】図１２は図３の他の実施例を示す説明図である。図１２Aは平面図で、図１２Bは側面図で、図１２Cは縦断面図である。
【図１３】図１３は図１２の実施態様を示す説明図である。
【図１４】図１４は図１３の実施形態の平面図側からの説明図である。
【図１５】図１５は図１４の実施形態の裏面図側からの説明図である。
【図１６】図１６は図１Bの各部縦断面の説明図である。図１６Aはデータラベルは貼られていないが図１Bと同じ平面図で、図１６B、図１６C、図１６Dはその各々対応する両矢印直線部の縦断面図である。
【図１７】図１７は図７のユニット３の各対応する両矢印直線部の縦断面図である。
【図１８】図１８は図１の病理・生物試料用ユニットシステムカセットを用いての使用例の説明図である。
【図１９】図１９は図１８の使用例の説明図の続きである。
【図２０】図２０は図１９の使用例の説明図の続きである。
【図２１】図２１は図２０の使用例の説明図の続きである。
【図２２】図２２は図２１の使用例の説明図の続きである。
【図２３】図２３は図２２の使用例の説明図の続きとそこで使用される一部分であるユニット構成体４の縦断面図である。
【図２４】図２４は図２３の使用例の説明図の続きとそこで使用される一部分であるユニット構成体４の縦断面図である。
【図２５】図２５は図２４の使用例の説明図の続きとそこで使用される一部分であるユニット構成体４の側面図である。
【図２６】図２６は図２５の使用例の説明図の続きである。
【図２７】図２７は図２３から図２５の実施例で示したユニット構成体４の構成体の展開図である。
【図２８】図２８は図２７で示したユニット構成体４の各ユニット縦断面と横断面である。図２８Aはこのユニット構成体４に対応する図１Cであり、図２８Bは図９Eであり、図２８Iは図２８C・E・Gからなるユニット構成体４の縦断面図であり、図２８Jは図２８D・F・Hからなるユニット構成体４の横断面図である。
【図２９】図２９A或いはBは図２７とは異なる実施例の各ユニットの分解・展開図である。
【図３０】図３０は図２６の他の実施例での使用説明例の続きでさる。
【図３１】図３１は図２３、図２４とは異なる使用方法の説明図である。
【図３２】図３２は図３１の使用例の説明の続きでさる。
【図３３】図３３は従来の病理・生物試料用カセット例の説明図である。
【図３４】図３４は図３３の従来の病理・生物試料用カセットと本発明の図１の病理・生物試料用ユニットシステムカセットの違いの一部を示す説明図である。
【図３５】図３５は図１の３ユニットシステム複合構成体からなるユニットシステム包埋枠状基体構成体で構築された病理・生物試料用ユニットシステムカセットの３ユニットの関連説明図である。
【図３６】図３６は図１６の他の実施例の説明図である。図３６Aは平面図、図３６B、は各々対応する両矢印直線部C、D、Eの縦断面図で、図３６Fは一部分であるユニット３の縦断面、図３６Gは平面図、図３６Hは裏面図である。
【図３７】図３７は図３６の一部分であるユニット３の説明図である。図３７Aは平面図、図３７Bは各々対応する両矢印直線部C、D、Eの縦断面図で、図３７Fは側面図で、図３７Gは両矢印直線部 Iの矢印側から見た横断面図、図３７Hは両矢印直線部Jの各々矢印側から見た横断面図である。
【図３８】図３８は図１の他の実施例の説明図である。
【図３９】図３９は図１の他の実施例の説明図である。
【図４０】図４０は図１の他の実施例の説明図である。
【図４１】図４１は図４の実施例の使用説明図の続きである。
【図４２】図４２は図２７、図２８、図２９の使用例の説明図の続きである。
【図４３】図４３は従来の包埋皿例の説明図である。
【図４４】図４４は本発明のユニットシステム構成体の使用工程の流れ説明図である。
【発明を実施するための形態】
【００４１】
この発明の実施例を添付図面の図１乃至図１１と図１６・図１７によって説明すると、先ず図１に示すように、上側に開口部を形成しその下側に多孔通液性の底部を形成した包埋枠状基体と、その包埋枠状基体の上側開口部に脱着自在に嵌合・連結する多孔通液面を有する蓋体から成る病理・生物試料用カセットを、底部を構成する独立分離した生物試料収納固定移送処理用多孔容器状底部（ユニット１）Xと、多孔容器状底部（ユニット１）X或いは試料包埋ブロック薄切時のアダプター固定爪位置Z14である包埋枠状基体（ユニット３）Zの上側開口部Z6に脱着自在に嵌合・連結する蓋体（ユニット２）Y、と該包埋枠状基体（ユニット３）Zの機能形態を各々分離独立した３種類の構成体ユニットとして成形した。
【実施例１】
【００４２】
本発明の３ユニットシステム複合構成体からなるユニットシステム包埋枠状基体構成体である病理・生物試料用ユニットシステムカセットのユニット１である独立分離した生物試料収納固定移送処理用多孔容器状底部Xの基本的形態は図１乃至図１１に示すように、患者試料５の固定移送乃至該試料の固定・脱水・脱脂・透徹・包埋剤浸透作業工程に於いて、患者試料５を収納して独立した機能を担うことが出来るデータ記録部兼保護板付き生物試料収納固定移送処理用多孔容器籠（ユニット構成体１）（X and Y）の多孔容器状底部Xであり上側に開口部X9を形成し該上側開口部X9の外周を囲む水平方向に突設した鍔状平面X11を形成し、その下側に少なくとも底部に多孔通液性底面X10と該底部を囲む側壁Ｘ８を形成した試料収納部X6からなる生物試料収納固定移送処理用多孔容器状底部（ユニット１）Xである。
該多孔容器状底部（ユニット１）Xの上側の開口部X9に脱着自在に嵌合・連結する多孔通液面Ｙ３を有する蓋体（ユニット２）Yとで独立した機能を担うことが出来るデータ記録部兼保護板付き生物試料収納固定移送処理用多孔容器籠（ユニット構成体１）（X and Y）を構築するので、該多孔容器状底部（ユニット１）Xの基本的構造は該上側開口部X9の外周を囲む水平方向に突設した鍔状平面X11の少なくても１辺を前記包埋枠状基体（ユニット３）Zの外側面データ記録部Z1の傾斜面に沿って延長成形して、該包埋枠状基体（ユニット３）Zの外周側面に傾斜形成設置されたデータ記録部Z1を抑え覆う保護板兼データ記録部X1を一体的に成形し、更に該保護板兼データ記録部X1が一体的に形成されている側の両側に前記多孔通液面Ｙ３を有する蓋体Yの前部両側凸状垂設係止部Ｙ２の掛け止め部である切り欠け部Ｘ２aの端部Ｘ２が成形され、該掛け止め部Ｘ２は前記包埋枠状基体（ユニット３）Zの外側壁の前部両外側凹部に外側面の上側一部を凹部側に掛け止め部Ｚ９として凸設状に残し形成した凹部Z8に一致する切り欠け部Ｘ２aであり該上側開口部X9の外周を囲む水平方向に突設した鍔状平面X11の後部には前記多孔通液孔を有する蓋体Yの後部係止部Ｙ４の掛け止め部Ｘ５が成形されている。更に、生物試料収納固定移送処理用多孔容器状底部（ユニット１）Xには上側開口部X9の外周を囲む水平方向に突設した鍔状平面X11の延長傾斜成形されたデータ記録部兼保護板Ｘ１の境目に中央部泡抜き孔Ｘ３と両サイド泡抜き孔Ｘ４が成形され、該中央部泡抜き孔Ｘ３は図１２乃至図１５の他の実施例の蓋体Ｙａの前部舌状係止部Ｙａ１の挿入係止部Ｚ４を兼ねているが該前部舌状係止部Ｙａ１成形の蓋体使用せずに保護板付き蓋体Ｙのみ使用する３ユニットシステム複合構成体からなるユニットシステム包埋枠状基体構成体である病理・生物試料用ユニットシステムカセットを成形する場合には該中央部泡抜き孔Ｘ３の大きさを両サイドの泡抜き孔Ｘ４の形状に合わせても良い。該生物試料収納固定移送処理用多孔容器状底部（ユニット１）Xのデータ記録部兼保護板Ｘ１の下面Ｘ７で、前記包埋枠状基体（ユニット３）Zの外周側面に傾斜形成設置されたデータ記録部Z1を覆い保護している。更に該多孔容器状底部（ユニット１）Xの上側開口部X9の外周を囲む水平方向に突設した鍔状平面X11の長辺側に両サイド切り欠け部Ｘ１１aが成形されている。また、該多孔容器状底部（ユニット１）Xの延長傾斜成形されたデータ記録部兼保護板Ｘ１の表面の面積を少しでも広く取る為の傾斜データ記録部兼保護板端部垂設成形Ｘ12が成形されている。図２のX４は生物試料収納固定移送処理用多孔容器状底部（ユニット１）XのX3の両側の泡抜き孔であり、X7は図１、図４、図５、図６、図７、図８、図１０からも理解されるように前記包埋枠状基体（ユニット３）Zの外周側面に形成設置されたデータ記録部Z1の傾斜面に沿って成形された生物試料収納固定移送処理用多孔容器状底部（ユニット１）Xのデータ記録・記憶部X1の裏面であり、該包埋枠状基体（ユニット３）Zの外周側面に形成設置されたデータ記録部Z1の傾斜面に均一に接触していることが望ましい。
図１と図７、図８のZ2はICチップ（RFID）挿入嵌合設置部である。図１と裏面説明図である図５、図６のX12は生物試料収納固定移送処理用多孔容器状底部（ユニット１）Xのデータ記録・記憶部X1の面積をより拡大するための垂設成形部である。該垂設成形部X12の成形によって生物試料収納固定移送処理用多孔容器状底部（ユニット１）Xのデータ記録・記憶部X1である傾斜面積は広く保たれて、情報量が多くなる。
【００４３】
また、本発明の３ユニットシステム複合構成体からなるユニットシステム包埋枠状基体構成体である病理・生物試料用ユニットシステムカセットのユニット２である独立分離した患者試料５の固定移送乃至該試料の固定・脱水・脱脂・透徹・包埋剤浸透作業工程に於いて、患者試料５を収納して独立した機能を担うことが出来るデータ記録部兼保護板付き生物試料収納固定移送処理用多孔容器籠（ユニット構成体１）（X and Y）の多孔容器状底部Xの上側開口部X9に脱着自在に嵌合・連結する多孔通液孔Ｙ３を有する蓋体（ユニット２）Yの基本的形態は図１乃至図１１と図１６・図１７に示すように、前部両側に凸状垂設係止部Ｙ２を形成し、後部にも前記底部（ユニット１）Ｘと前記包埋枠状基体（ユニット３）Ｚとも共用する係止部Ｙ４を形成している。該蓋体（ユニット２）Ｙは２ユニットシステム複合構成体で構築される生物試料収納固定移送処理用多孔容器籠（ユニット構成体１）（X and Y）と３ユニットシステム複合構成体で構築される固定用支持基台（ユニット構成体３）（X and Y and Z）との共通の構成ユニットである。
該多孔通液面Ｙ3を有する蓋体（ユニット２）Yは多孔通液面Y3の外周を囲む開閉誘導リブY8の外周平面Ｙ10の少なくても1辺にも同様に一体的保護板Y1を成形して、該保護板Y1の下面Ｙ９で該生物試料収納固定移送処理用多孔容器状底部（ユニット１）Xの保護板兼データ記録部X1上の汚れや該データ記録部に印字貼られたデータラベルの剥離や汚れを防止する保護板Y1付き蓋体（ユニット２）Yと保護板兼データ記録部X1付き底部（ユニット１）Xとの２ユニットシステム複合構成体で構築される独立した機能を担う試料データ記録部付き生物試料収納固定移送処理用多孔容器籠（ユニット構成体１）（X and Y）の２重のデータ記録部兼保護板（X1 and Y1）が前記包埋枠状基体（ユニット３）Zの外側面のデータ記録部Z1を挟持保護して多孔通液面Y3を有する蓋体Yを廃棄しないで活用できる３ユニットシステム複合構成体で構築される試料データの確定とバリ無し包埋ブロックの台木の機能と従来の病理・生物試料用カセット機能を担える固定用支持基台（ユニット構成体３）（X and Y and Z）で構成される病理・生物試料用ユニットシステムカセットの構成体ユニットである保護板付き多孔通液面Ｙ３を有する蓋体（ユニット２）Yである。故に前記独立分離した生物試料収納固定移送処理用多孔容器状底部Xの上側開口部X9の外周を囲む水平方向に突設した鍔状平面X11の長辺側の両サイド切り欠け部Ｘ１１aと同様に該多孔通液面Ｙ3を有する蓋体（ユニット２）Yの多孔通液面Y3の外周を囲む開閉誘導リブY8の外周平面Ｙ10にも両サイド切り欠け部Ｘ１１aと一致する切り欠け部Ｙ10aが成形されている。更に該多孔通液面Ｙ3を有する蓋体（ユニット２）Yには、多孔通液面Y3の外周を囲む開閉誘導リブY8の外周平面Ｙ10の後部係止部Ｙ４の後ろに該蓋体（ユニット２）Yの脱着開閉時の爪掛け部Ｙ５があり、該外周面Ｙ10を延長して傾斜成形した保護板Ｙ１の傾斜部分の境目には前記多孔容器状底部Xの三つの泡抜き孔（Ｘ３とＸ４）とに対応する三つの泡抜き孔Ｙ６が成形されている。更に、前記多孔容器状底部Xの中央部泡抜き孔Ｘ３は図１２乃至図１５に示す他の実施例の蓋体Ｙａの前部舌状係止部Ｙａ１の挿入係止部Ｚ４を兼ねているが、該前部舌状係止部Ｙａ１成形の蓋体を使用せずに保護板付き蓋体Ｙのみ使用する３ユニットシステム複合構成体からなるユニットシステム包埋枠状基体構成体である病理・生物試料用ユニットシステムカセットを成形する場合には、前記多孔容器状底部（ユニット１）Xの該中央部泡抜き孔Ｘ３の大きさを両サイドの泡抜き孔Ｘ４の形状に合わせても良いしこの時は中央部泡抜き孔Ｘ３からの小型生検試料の抜け落ち防止閉鎖壁Ｙ７の成形の必要はない。
以上の様に、患者・生物の採取試料の固定移送から該試料の標本作製工程での固定・脱水・脱脂・透徹・包埋剤浸透の薬液処理と情報伝達・連結を担う独立した機能を担う生物試料収納固定移送処理用多孔容器籠（ユニット構成体１）（X and Y）は生物試料収納固定移送処理用多孔容器状底部（ユニット１）Xと多孔通液孔Y3を有する蓋体（ユニット２）Yで構築される２ユニットシステム複合構成体である。
該２ユニットシステム複合構成体の１ユニットである多孔通液孔Y3を有する蓋体（ユニット２）Yの構造は、保護板Y1と前部凸状垂設係止部Y2と多孔通液孔Y3と後部係止部Y4と該蓋体（ユニット２）Yの脱着開閉時の爪掛け部Y5と通液孔Y6と生物試料収納固定移送処理用多孔容器状底部（ユニット１）Xの試料の脱水・脱脂・透徹・包埋剤浸透等の薬液処理時の泡抜き孔兼前部舌状係止蓋用の係止部X3の閉鎖壁Y7（Y7は前部舌状係止蓋を使用しない形状にする場合には無くても良い。）と蓋部（ユニット２）の開閉誘導リブY8と蓋体（ユニット２）Yの保護板Y1の裏面Y9と前記包埋枠状基体（ユニット３）Zの両側長辺側壁Z18の間に挟持嵌合する形状の切り欠け部Y10aを形成した蓋部（ユニット２）の開閉誘導リブY8の外周平面Y10で、前部凸状垂設係止部Y2は切り欠け部Y10から水平方向に凸状且つ垂設した係止部Y2である。
【００４４】
更にまた、本発明の３ユニットシステム複合構成体からなるユニットシステム包埋枠状基体構成体である病理・生物試料用ユニットシステムカセットのユニット３である患者試料５の固定移送乃至該試料の固定・脱水・脱脂・透徹・包埋剤浸透作業工程に於いて、患者試料５を収納して独立した機能を担うことが出来るデータ記録部兼保護板付き生物試料収納固定移送処理用多孔容器籠（ユニット構成体１）（X and Y）が脱着自在に嵌合・連結する包埋枠状基体（ユニット３）Ｚの基本的形態は図１乃至図１１と図１６・図１７に示すように、前記包埋枠状基体（ユニット３）Zは、上側と下側とに開口部（Z18、Z16）を有し、該上側から下側への開口部（Z18、Z16）に連結した貫通孔部Z17を形成し、上側Z18から下側開口部Z16に連結した前記貫通孔部Z17の該上側開口部Z18の周囲を囲む外壁上部上端面Z6或いは該上側開口部Z18に連なる貫通孔部内壁に内側に向けて突設された凸状平面Z6を形成し、該包埋枠状基体（ユニット３）Zの外側壁の両前部外側面Z15に上端面Z6から下端面Z14に通じる凹部Z8を形成して該凹部Z8の上部に前記底部（ユニット１）Xとも脱着自在に嵌合・連結する前記蓋体（ユニット２）Yの前部凸状垂設係止部Y2の掛け止め部Z9を該包埋枠状基体（ユニット３）Zの両前部外側凹部Z8に外側面の上側一部を凹部側に掛け止め部Ｚ９として凸設状に残し形成し、後部外壁にも前記蓋体（ユニット２）Yの後部の係止部Y4を掛け止める掛け止め部Z12を成形した包埋枠状基体（ユニット３）Zである。更に、該上側開口部Z18周囲を囲む外壁上部の両長辺上端面Z6の端面上に外側長辺側壁Z15を立設延長形成した包埋枠状基体（ユニット３）Zであり、該包埋枠状基体（ユニット３）Zの両外側長辺側壁上端面Z5は、前記生物試料収納固定移送処理用多孔容器状底部（ユニット１）Xの上側開口部X9の外周を囲む水平方向に突設した鍔状平面X11の厚さと該底部（ユニット１）Xの開口部X9に脱着自在に嵌合・連結する多孔通液面Y3を有する蓋体（ユニット２）Yの多孔通液面Y3の外周を囲む開閉誘導リブY8の外周平面Y10の厚さを重ねた厚さ分だけ、前記包埋枠状基体（ユニット３）Zの開口部Z18周囲を囲む外壁上部上端面Z6と該開口部Z18に連なる内壁に内側に向けて突設された凸状平面Z6より高い位置に成形されているのが基本的形態である。
その他の該包埋枠状基体（ユニット３）Ｚの構造としては、外壁を斜面成形したデータ記録部Ｚ１と該データ記録部Ｚ１に成形されたＩＣチップ（RFID）Ｚ２と該包埋枠状基体（ユニット３）Ｚの上側開口部Ｚ18の周囲を囲む外壁上部上端面Z6と斜面該データ記録部Ｚ１の境目に成形した両サイド泡抜き孔Ｚ３と中央部泡抜き孔Ｚ４と該上側開口部Z18周囲を囲む外壁上部の両長辺上端面Ｚ6の端面上に外側長辺側壁Z15を立設延長形成した両外側長辺側壁上端面Z5と該包埋枠状基体（ユニット３）Ｚの前記蓋体（ユニット２）Yの脱着開閉用爪掛け部Ｙ５の成形空間Ｚ7と前部凸状垂設係止部Y2の掛け止め部Z9および該掛け止め部Z9の掛け止め傾斜面Z10と該カセットブロック薄切時のアダプター固定爪位置である下端面Ｚ14の底面より狭い面積で突設成形した袴状の突設側壁Z11と該包埋枠状基体（ユニット３）Z後部掛け止め部Ｚ12が成形される後壁（図１１のＺ13）とがある。図７と図８から解るように該後壁（図１１のＺ13）の該包埋枠状基体（ユニット３）Ｚの前記蓋体（ユニット２）Yの脱着開閉用爪掛け部Ｙ５の成形空間Ｚ７の幅は成形都合によって変化させても良い。
これら生物試料収納固定移送処理用多孔容器状底部（ユニット１）Xと該多孔容器状底部（ユニット１）Xの上側の開口部X9に脱着自在に嵌合・連結する多孔通液面Ｙ３を有する蓋体（ユニット２）Yとから構築される、患者試料５を収納して独立した機能を担うことが出来るデータ記録部兼保護板付き生物試料収納固定移送処理用多孔容器籠（ユニット構成体１）（X and Y）が包埋枠状基体（ユニット３）Ｚに脱着自在に嵌合・連結して固定用支持基台（ユニット構成体３）（X and Y and Z）が構築される。該３ユニットの組み合わせで構成されるユニットシステム包埋枠状基体構成体である、従来の病理・生物試料用カセットの（１）試料の薬液処理籠の機能と（２）患者・生物組織試料のデータ記載機能と（３）試料包埋ブロックの台木機能と（４）透明な多孔通液性を有する蓋を用いるとカセット内部の試料が確認できるのみ機能以外に、９つの機能を発揮する病理・生物試料用ユニットシステムカセットである
【００４５】
また、本発明の前記３ユニットの組み合わせで構成されるユニットシステム包埋枠状基体構成体である病理・生物試料用ユニットシステムカセット底部に完全確実に嵌合・連結する該病理・生物試料用ユニットシステムカセットである固定用支持基台（ユニット構成体３）のデータ記録部等外周部に付着して病理・生物試料包埋ブロックの薄切時に邪魔をして、その除去時にデータ記録部を損傷させる包埋剤の余分なバリを除去又はバリを発生させない包埋底部（ユニット４）Sと上部水密包埋枠部（ユニット５）Tの２ユニットシステム複合構成体で構築される合成樹脂製水密枠付き包埋皿（ユニット構成体４）（S and T）の基本形態については図２７乃至図２９で説明する。
該バリなし合成樹脂製水密枠付き包埋皿（ユニット構成体４）（S and T）は金属製の包埋底部（ユニット４）Sと該包埋底部（ユニット４）Sの上側開口部S4の外周を囲む水平方向に突設した鍔状平面S3に嵌合・連結する、上側と下側とに開口部（T6、T11、T13、T19） を有し該上側から下側への開口部に連結した貫通孔部（T12、T14）を形成する合成樹脂製の上部水密包埋枠部（ユニット５）Tの機能形態を各々分離独立した２種類の素材構成体ユニットである２ユニットの組み合わせで構成される２ユニットシステム複合構成体である。該２ユニットシステム複合構成体で構築される合成樹脂製水密枠付き包埋皿（ユニット構成体４）（S and T）は前記病理・生物試料用カセットの包埋枠状基体底部に完全確実に嵌合・連結する合成樹脂製の上部水密包埋枠部（ユニット５）Tを形成した包埋皿（ユニット構成体４）（S and T）であり、該包埋皿の包埋底部（ユニット４）Sは熱伝導率の良い金属製板のプレス加工で成形し該包埋底部Sは上側開口部S4の下側には包埋時に包埋試料5aが載せられる収納部Ｓ5の収納底部S1があり該上側開口部S4の外周を囲む水平方向に突設した鍔状平面S3を形成している金属製構成体ユニットである。
前記上部水密包埋枠部Tは図２７と図２８に示すように、上側T13と下側T19とに開口部を有し、該上側から下側への開口部（T13、T19）に連結した貫通孔部T14を形成し上側から下側開口部（T13、T19）に連結した前記貫通孔部T14の該上側開口部T13の周囲を囲む外壁上部上端面T4或いは該上側開口部T13に連なる貫通孔部T14内壁に内側に向けて突設された凸状平面T4を形成して、該上側開口部T13の周囲を囲む外壁上部上端面T4或いは該上側開口部T13に連なる貫通孔部T14内壁に内側に向けて突設された凸状平面T4上に前記包埋底部（ユニット４）Sの収納底部S1の上側開口部S4の外周を囲む水平方向に突設した鍔状平面S3の四方全周を掛け止め設置できる前記包埋底部（ユニット４）Sの下部嵌合連結包埋底部支持体Taと、該下部嵌合連結包埋底部支持体Taの上側に嵌合連結して上側T6と下側T11とに開口部を有し、前記上側から下側への開口部（T6、T11）に連結した貫通孔部T12を形成し上側から下側開口部（T6、T11）に連結した前記貫通孔部T12の該上側開口部T6の周囲を囲む外壁上部上端面T2と該上側開口部T6に連なる貫通孔部T12内壁に内側に向けて突設された凸状平面T3を形成した包埋皿上部水密２角面形成枠体Tとから構成される上部水密包埋枠部（ユニット５）Tの嵌合連結構築体である。
該包埋皿は、包埋底部（ユニット４）Sは上側開口部S4の外周を囲む水平方向に突設した鍔状平面S3を形成し、その下側に包埋作業時の試料包埋底部S1面を形成した金属製包埋底部（ユニット４）Sであり、該包埋底部（ユニット４）Sの上部開口部S4の外周を囲む水平方向に突設した鍔状平面S3を掛け止め部に水密に嵌合する合成樹脂製の上部水密包埋枠部（ユニット５）Tとの２種類の素材構成体ユニットで構築して、熱伝導率の良い金属製の該包埋底部（ユニット４）Sと同じ収縮率で精密嵌合成形が可能な該合成樹脂製の上部水密包埋枠部（ユニット５）Tの機能形態を合体した２ユニットシステム複合構成体である包埋皿である。
該包埋底部（ユニット４）Sは熱伝導率の良い金属製板のプレス加工で成形し、該包埋底部（ユニット４）Sの開口部S4の外周を囲む水平方向に突設した鍔状平面S3を前記合成樹脂製の上部水密包埋枠部（ユニット５）Tの掛け止め部T4に水密に確実に嵌め込み、前記病理・生物試料用カセットの包埋枠状基体底部Z14と該包埋枠状基体（ユニット３）の多孔通液性底部の成形位置をカセットブロック薄切時のアダプター固定爪位置の底面より狭い面積で突設形成した突設側壁Z11とが成す凹凸二角面と該合成樹脂製の上部水密包埋枠部（ユニット５）Tの上端面T2と水密包埋枠内壁T3とが形成する接触水密面の凹凸二角接触面で水密に嵌合連結させて、
従来の金属製包埋皿の水密枠成形では困難であった前記病理・生物試料用カセットの包埋枠状基体Zの底面と水密２角面形成枠体Tである水密枠との水密嵌合性を高めて、包埋皿内の包埋剤12の滲み溢れと試料15aの固定包埋薬液処理時に包埋剤12に浸漬された前記病理・生物包埋ブロックカセットの包埋枠状基体の周囲からの包埋剤の垂れ溜まりである包埋剤の余分なバリ12bを完全防止する前記合成樹脂製の上部水密包埋枠部（ユニット５）Tと熱伝導率の良い金属製包埋底部（ユニット４）Sとの２ユニットシステム複合構成体で構築されることを特徴とする病理・生物試料用カセットの包埋枠状基体底部の合成樹脂製水密枠付き包埋皿（ユニット構成体４）（S and T）である。
以上の様に該合成樹脂製水密枠付き包埋皿（ユニット構成体４）（S and T）の基本的形態は包埋底部（ユニット４）Sと上部水密包埋枠部（ユニット５）Tの２ユニットシステム複合構成体で構築されているが、該上部水密包埋枠部（ユニット５）Tの形状は図２９Ａに示した様に下部嵌合連結包埋底部支持体Taと包埋皿上部水密２角面形成枠体Tの嵌合連結構築体である形状形態にしても良いし、また図２９Ｂに示す様に嵌合連結構築体ではなく一体型で包埋底部（ユニット４）Sの上部開口部S4の外周を囲む水平方向に突設した鍔状平面S3の掛け止め部を図示はしていないが千鳥掛けに成形しても可能である。
その他の合成樹脂製水密枠付き包埋皿（ユニット構成体４）（S and T）の構造としては、該合成樹脂製水密枠付き包埋皿（ユニット構成体４）（S and T）の包埋作業時の作業取っ手Ｔ１と下部嵌合連結包埋底部支持体Taと包埋皿上部水密２角面形成枠体Tの係止部Ｔ１０と掛け止め部構造（Ｔ７・Ｔ１５・Ｔ１６・Ｔ１８）と合成樹脂製水密枠付き包埋皿（ユニット構成体４）（S and T）の安定設置用脚部Ｔ５と該合成樹脂製水密枠付き包埋皿（ユニット構成体４）（S and T）を重ね置き収納時の脚部接触回避部Ｔ８・Ｔ９が重要である。
【００４６】
次に、本発明の前記３ユニットの組み合わせで構成されるユニットシステム包埋枠状基体構成体である病理・生物試料用ユニットシステムカセットと該カセットの包埋枠状基体の連結嵌合構成体であるバリ無し包埋皿を用いての患者試料５検体の固定移送から受付・受領と切り出し作業、固定・脱水・脱脂・透徹・包埋剤浸透の薬液処理工程とバリなし包埋作業、包埋ブロックの薄切、包埋ブロック試料の保管管理までの使用例の一部を図１８乃至図２６と図３０乃至図３２及び図４４の説明図で説明する。
２ユニットシステム複合構成体で構築される病理・生物試料用カセットの機能形態であるユニットシステム包埋枠状基体多孔通液性容器底部（ユニット構成体２）の構成ユニットである（ユニット構成体１）（X and Y）は底部Xの鉛筆等で記載可能なシュボ加工が成形されているデータ記録部X1に臨床データ（患者属性やカルテ番号等）や試料名を鉛筆等で記載して（図２・図９・図４４c）透明な保護板付き多孔通液面Y3を有する蓋体（ユニット２）Yを閉じて専用の固定移送容器（図４４のBの６）内に収納して、臨床側から病理検査依頼書と一緒に病理検査・標本作製側に移送する事ができる。この時、包埋枠状基体Zは固定液（図４４のBの１５）に浸漬せずに患者・生検試料５の固定移送・薬液処理が出来る独立した機能を担うデータ記録部兼保護板付き生物試料収納固定移送処理用多孔容器籠（ユニット構成体１）（X and Y）に患者・生検試料５を収納して固定液１５に浸漬して検査・標本作製現場側に移送することが出来るので、包埋枠状基体ZはRFID（ICチップ）２を収納して該包埋枠状基体Zを容器の外側に嵌合連結できる専用の固定移送容器（図４４のBの６）と一緒に臨床側に送っておけば該RFID（ICチップ）２内に患者属性や臨床試料データがデジタルデータとして送れて依頼書のペーパレスが可能になる。勿論、該包埋枠状基体Zを検査側に置いておくことも出来る。
【００４７】
更に、臨床側（図４４A）から移送されてきた患者検体（患者試料５と病理検査依頼書等該患者試料データ）を病理検査・標本作製現場側で、該患者の病理検査依頼書と固定移送容器６に貼られた患者属性記載ラベル６cを確認・照合の上受付・受領後、該患者検体の切り出し（図１８A）時に作業者が前期固定移送容器６から患者試料５が収納されている独立した機能を担うデータ記録部兼保護板付き生物試料収納固定移送処理用多孔容器籠（ユニット構成体１）（X and Y）を取り出して該底部Xのデータ記録部X1の患者名・試料名（図２・図９・図４４cの３）を確認後、該患者試料５の病理検査依頼書と固定移送容器６とも照合して、該患者試料５を確認・観察・トリミングの上、該底部Xのデータ記録部X1の患者名・試料名（図２・図９・図４４cの３）の上から検体試料番号１aとバーコード又は二次元データコード１b等が印字されたデータ記録ラベル（図１８B・図４４Dの１）を貼り付ける。この時図１８B又は図４４Dに記載のラベル自動貼り印字機を使用するとより便利である。
該底部Xのデータ記録部X1にデータ記録ラベル１を貼り付けた後に再度透明な保護板付き多孔通液面Y3を有する蓋体（ユニット２）Y（図１９Ａ・Ｂ・Ｃ・Ｄ）を閉じて患者試料（５又は５a）が収納固定されている該多孔容器籠（ユニット構成体１）（X and Y）を薬液処理籠（図２０Ａ・Bと図４４F）に収納して図示してはいないが試料の固定・脱水・脱脂・透徹・包埋剤浸透の薬液処理工程を処理する自動固定包埋装置にセットする。この時点で該多孔容器籠（ユニット構成体１）（X and Y）の構成ユニットであるデータ記録部兼保護板付き生物試料収納固定移送処理用多孔容器状底部（ユニット１）Xのデータ記録部上の臨床側患者臨床・生物試料データとその属性・既往歴を含む病理・標本作製側データとの直接で確実な伝達（メッセンジャー）と連結（リンク）が完成する。何故ならば生物試料収納固定移送処理用多孔容器籠（ユニット構成体１）の中の採取試料5aは臨床・生物試料採取側の責任で収納しており、病理・標本作製側では試料の切り出し時に該生物試料収納固定移送処理用多孔容器籠（ユニット構成体１）内の採取試料5aを移動することを絶対にしないで、単に該生物試料収納固定移送処理用多孔容器籠（ユニット構成体１）（X and Y）の多孔通液孔Y3を有する蓋体（ユニット２）Yを開けて、該生物試料収納固定移送処理用多孔容器状底部（ユニット１）X内部の採取試料5aを確認の上、該底部（ユニット１）Xのデータ記録・記憶部X1上の固定液を拭き取り、その上から前記印字記録したラベル紙１を貼付、再度前記底部（ユニット１）X上側開口部に脱着自在に嵌合・連結する多孔通液孔を有する保護板Y1付き蓋体（ユニット２）Yを閉じると、該底部（ユニット１）Xのデータ記録・記憶部X1と上側開口部に脱着自在に嵌合・連結する多孔通液孔Y3を有する蓋体（ユニット２）Yの保護板Y1の間には、臨床・生物試料採取側の責任で事前に記載された臨床データ（患者属性やカルテ番号等）や試料名等の情報とその上に病理・標本作製側で貼り付けた印字記録したラベル紙１等の情報との二重の情報が保護され固定移送された採取試料5aが収納された生物試料収納固定移送処理用多孔容器籠（ユニット構成体１）（X and Y）が出来上がるからである。
この時、ラベルの印字機（図１８Bと図４４Ｄ）は自動ラベル貼付印字機であり、該生物試料収納固定移送処理用多孔容器状底部（ユニット１）Xの上側開口部に脱着自在に嵌合・連結する多孔通液面Ｙ３を有する保護板Y1付き蓋体（ユニット２）Yは有機溶媒に耐薬品性である透明な合成樹脂（例えばポリエチレンナフタレート等）で成形することが望ましく、該生物試料収納固定移送処理用多孔容器状底部（ユニット１）Xは有機溶媒に耐薬品性であるポリアセタール樹脂の不透明で生物試料の色調とは異なる色素を用いて成形ことが望ましい。
【００４８】
更に、臨床・生物試料採取側の責任で事前に記載された臨床データ（患者属性やカルテ番号等）や試料名等の情報とその上に病理・標本作製側で貼り付けた印字記録したラベル紙１等の情報との二重の情報が保護・保持されている生物試料収納固定移送処理用多孔容器籠（ユニット構成体１）（X and Y）（図１９Ａ・Ｂ・Ｃ・Ｄ）内に収納され、前記自動固定包埋装置で固定・脱水・脱脂・透徹・包埋剤浸透の薬液処理工程（図２０Ａ・Bと図４４F）が完了した包埋剤が浸透している患者試料（５又は５a）を包埋する。
この包埋作業工程は図２１Ａ・Ｂ乃至図２６Ａ・Ｂと図３０Ａ・Ｂ・Ｃ乃至図３２Ａ・Ｂ・Ｃと図４４Ｅ・Ｇで説明している。図２１Ａ・Ｂでは患者試料（５又は５a）を生物試料収納固定移送処理用多孔容器籠（ユニット構成体１）（X and Y）が前記包埋枠状基体Ｚに嵌合・連結した前記固定用支持基台（ユニット構成体３）（X and Y and Z）の多孔通液孔Y3を有する蓋体（ユニット２）Yを開けてピンセット８で取り出しているところの平面図Ａと縦断面図Ｂである。また図２１乃至図２３でも患者試料（５又は５a）を収納した生物試料収納固定移送処理用多孔容器籠（ユニット構成体１）（X and Y）を包埋枠状基体Ｚに嵌合・連結した固定用支持基台（ユニット構成体３）（X and Y and Z）を前記自動固定包埋装置で固定・脱水・脱脂・透徹・包埋剤浸透の薬液処理工程を実施した場合の図を記載しているが、図２０Ａ・Bと図４４Fに示す様に該患者試料（５又は５a）を収納した該生物試料収納固定移送処理用多孔容器籠（ユニット構成体１）（X and Y）のみで固定・脱水・脱脂・透徹・包埋剤浸透の薬液処理工程を実施することも出来る。その場合の包埋作業は図３１Ａ・Ｂと図４４Ｅに示す様に前記包埋枠状基体Ｚは包埋剤に一切浸漬されていないので該包埋枠状基体Ｚの外周にも包埋剤の付着がなく溶融包埋剤に濡れていないので、本発明の合成樹脂製水密枠付き包埋皿（ユニット構成体４）（S and T）内の包埋剤の滲み溢れと試料の固定包埋薬液処理時に包埋剤に浸漬された前記固定用支持基台（ユニット構成体３）（X and Y and Z）である病理・生物包埋ブロックカセットの包埋枠状基体の周囲からの包埋剤の垂れ溜まりが無いので、病理・生物包埋ブロックカセットの台木である固定用支持基台（ユニット構成体３）（X and Y and Z）には完全にバリが発生しない。即ち、１００％完全なバリ無し包埋法が完成する。
【００４９】
また例え図２１Ａ・Ｂと図２２Ａ・Ｂに示すように従来の病理・生物試料用カセットと同様に該生物試料収納固定移送処理用多孔容器籠（ユニット構成体１）（X and Y）を該包埋枠状基体Ｚと嵌合・連結させた該固定用支持基台（ユニット構成体３）（X and Y and Z）であるユニットシステム包埋枠状基体構成体からなる患者試料（５又は５a）を収納した病理・生物試料用ユニットシステムカセットを直接に使用して固定・脱水・脱脂・透徹・包埋剤浸透の薬液処理工程に使用した場合でも図２３Ａ・Ｂと図２４Ａ・Ｂと図３２Ａ・Ｂ・Ｃに示す様に、前記合成樹脂製水密枠付き包埋皿（ユニット構成体４）（S and T）の熱伝導率の良い金属製板のプレス加工成形の包埋底部（ユニット４）Sの上側開口部S4の外周を囲む水平方向に突設した鍔状平面S3に嵌合・連結する上側と下側とに開口部（T6、T11、T13、T19） を有し該上側から下側への開口部に連結した貫通孔部（T12、T14）を形成する合成樹脂製の上部水密包埋枠部（ユニット５）Tの上端面T2と水密包埋枠内壁T3とが形成する接触水密面の凹凸二角接触面と前記病理・生物試料用ユニットシステムカセットの包埋枠状基体底部Z14と該包埋枠状基体（ユニット３）の多孔通液性底部の成形位置をカセットブロック薄切時のアダプター固定爪位置の底面より狭い面積で突設形成した突設側壁Z11とが成す凹凸二角面とが形成する接触水密面の凹凸二角接触面で水密に嵌合連結させているので、従来の金属製包埋皿の水密枠成形では困難であった前記病理・生物試料用カセットの包埋枠状基体Zの底面と水密２角面形成枠体Tである水密枠との水密嵌合性を高めて、合成樹脂製水密枠付き包埋皿（ユニット構成体４）（S and T）内の包埋剤12の滲み溢れと試料15aの固定包埋薬液処理時に包埋剤12に浸漬された前記病理・生物包埋ブロックカセットの包埋枠状基体Ｚの周囲からの包埋剤12の垂れ溜まりである包埋剤の余分なバリ12bは図３２Ａ・Ｂ・Ｃに示す様に該病理・生物包埋ブロックカセットの包埋枠状基体Ｚの底部周囲には垂れ溜まらず該合成樹脂製水密枠付き包埋皿（ユニット構成体４）（S and T）の合成樹脂製の上部水密包埋枠部（ユニット５）Tの側壁に多くは流れ落ちて、該包埋枠状基体Ｚ外側壁の包埋剤１２のバリ（１２a・12b）の発生を防止する。この時合成樹脂製の上部水密包埋枠部（ユニット５）Tの合成樹脂は病理・生物試料用ユニットシステムカセットの包埋枠状基体Ｚと同じ収縮率や性状である材質が望ましく、例えばポリアセタール樹脂等が良い。この時包埋皿の大きさによって合計樹脂の着色を変化させる便利である。
該合成樹脂製水密枠付き包埋皿（ユニット構成体４）（S and T）の基本構造は、図２７Ａ２縦断面図・Ｂ１正面図・Ｂ２平面図・Ｂ３横断面図・Ｃ２裏面図・Ｄ２側面図と図２８Ａ 該合成樹脂製水密枠付き包埋皿（ユニット構成体４）（S and T）に嵌合・連結してバリ無し包埋できる病理・生物試料用ユニットシステムカセット・Ｂ 該病理・生物試料用ユニットシステムカセットの正面図・Ｃ 包埋皿上部水密２角面形成枠体Tの縦断面図・Ｄ 該上部水密包埋枠部Tの横断面図・Ｅ 包埋底部（ユニット４）Sの縦断面図・Ｆ 該包埋底部（ユニット４）Sの横断面図・Ｇ 包埋皿下部嵌合連結包埋底部支持体Taの縦断面図・Ｈ 該下部嵌合連結包埋底部支持体Taの横断面図・Ｉ ２種類の素材構成体ユニットからなる合成樹脂製水密枠付き包埋皿（ユニット構成体４）（S and T）の縦断面図・Ｊ 該合成樹脂製水密枠付き包埋皿（ユニット構成体４）（S and T）の横断面図で説明しているが、包埋底部（ユニット４）Sと包埋底部（ユニット４）Sの上側開口部S4の外周を囲む水平方向に突設した鍔状平面S3に嵌合・連結する、上側と下側とに開口部（T6、T11、T13、T19） を有し該上側から下側への開口部に連結した貫通孔部（T12、T14）を形成する上部水密包埋枠部（ユニット５）Tの機能形態を各々分離独立した２種類の素材構成体ユニットとして成形していて
該包埋底部（ユニット４）Sは熱伝導率の良い金属製板のプレス加工で成形し、該包埋底部Sは上側開口部S4の下側には包埋時に包埋試料が載せられる収納底部S1があり該上側開口部S4の外周を囲む水平方向に突設した鍔状平面S3を形成している金属製構成体ユニットであり、
前記上部水密包埋枠部Tは上側T13と下側T19とに開口部を有し、該上側から下側への開口部（T13、T19）に連結した貫通孔部T14を形成し、上側から下側開口部（T13、T19）に連結した前記貫通孔部T14の該上側開口部T13の周囲を囲む外壁上部上端面T4或いは該上側開口部T13に連なる貫通孔部T14内壁に内側に向けて突設された凸状平面T4を形成して、該上側開口部T13の周囲を囲む外壁上部上端面T4或いは該上側開口部T13に連なる貫通孔部T14内壁に内側に向けて突設された凸状平面T4上に前記包埋底部（ユニット４）Sの収納底部S1の上側開口部S4の外周を囲む水平方向に突設した鍔状平面S3の四方全周を掛け止め設置できる前記包埋底部（ユニット４）Sの下部嵌合連結包埋底部支持体Taと該下部嵌合連結包埋底部支持体Taの上側に嵌合連結して上側T6と下側T11とに開口部を有し、前記上側から下側への開口部（T6、T11）に連結した貫通孔部T12を形成し、上側から下側開口部（T6、T11）に連結した前記貫通孔部T12の該上側開口部T6の周囲を囲む外壁上部上端面T2或いは該上側開口部T6に連なる貫通孔部T12内壁に内側に向けて突設された凸状平面T3を形成した包埋皿上部水密２角面形成枠体Tとから構成される上部水密包埋枠部（ユニット５）Tである。
該包埋皿は包埋皿上部水密２角面形成枠体Tの上側T6と下側T11とに開口部を有し、前記上側から下側への開口部（T6、T11）に連結した貫通孔部T12を形成し、上側から下側開口部（T6、T11）に連結した前記貫通孔部T12の該上側開口部T6の周囲を囲む外壁上部上端面T2或いは該上側開口部T6に連なる貫通孔部T12内壁に内側に向けて突設された凸状平面T3とを形成した凸状平面T3の下面Ｔ4と下部嵌合連結包埋底部支持体Taの上側から下側開口部（T13、T19）に連結した前記貫通孔部T14の該上側開口部T13の周囲を囲む外壁上部上端面T4或いは該上側開口部T13に連なる貫通孔部T14内壁に内側に向けて突設された凸状平面T4との間で熱伝導率の良い金属製板のプレス加工成形の前記包埋底部Sの上側開口部S4の外周を囲む水平方向に突設した鍔状平面S3を挟持して嵌合・連結する構造からなる２種類の素材構成体ユニットからなる合成樹脂製水密枠付き包埋皿（ユニット構成体４）（S and T）である。故に図２９Ａに示すように包埋皿上部水密２角面形成枠体Tと下部嵌合連結包埋底部支持体Taの形状は色々と考えられ、また図２９Ｂの様に包埋底部（ユニット４）Sの合成樹脂製上部水密包埋枠部Tを包埋皿上部水密２角面形成枠体Tと下部嵌合連結包埋底部支持体Taに分離独立させないで包埋底部Sの上側開口部Ｓ４の外周を囲む水平方向に突設した鍔状平面S3を挟持して嵌合・連結する構造を千鳥格子状に成形しても構築できるが、私は上下の構造体で該包埋底部Sの上側開口部Ｓ４の外周を囲む水平方向に突設した鍔状平面S3全周囲を挟持して嵌合・連結する構造を推奨する。この場合の重要な前記した構造以外の構造体は包埋皿上部水密２角面形成枠体Tの下部嵌合連結包埋底部支持体Taのと連結・嵌合係止部Ｔ１０とその下部嵌合連結包埋底部支持体Taの掛け止め受け部Ｔ１５・Ｔ１６と該２種類の素材構成体ユニットからなる合成樹脂製水密枠付き包埋皿（ユニット構成体４）（S and T）の設置時の安定設置用脚部Ｔ５と該合成樹脂製水密枠付き包埋皿（ユニット構成体４）（S and T）の重ね収納時の脚部Ｔ５の脚部接触回避部Ｔ８・Ｔ９である。この脚部接触回避部Ｔ８・Ｔ９の必要性は図４２Ａ・Ｂと図４３Ｄとを比較すれば一目瞭然である。
【００５０】
次に、図２５の説明図に示す様に、従来の包埋皿による包埋方法では包埋皿から包埋ブロックを取り出すときには、包埋剤の冷却による収縮を利用しても該包埋ブロックが包埋皿から外れにくいことがしばしばあったが、本発明の合成樹脂製水密枠付き包埋皿（ユニット構成体４）（S and T）の場合には該合成樹脂製水密枠付き包埋皿（ユニット構成体４）（S and T）の取っ手Ｔ１部と包埋ブロックの台木部分である包埋枠状基体Ｚ部分を各々持って反対側に引っ張れば直ぐにバリの無い包埋ブロック試料（図２６Ａ・Ｂ）が出来上がる。
【００５１】
更に、該包埋ブロック試料は（図３０）に示す様に、図２４に示す大型の合成樹脂製水密枠付き包埋皿（ユニット構成体４）（S and T）ではなく、前記保護板兼データ記録部X1が成形されている生物試料収納固定移送処理用多孔容器状底部（ユニット１）Xの大きさである中型の合成樹脂製水密枠付き包埋皿（ユニット構成体４）（S and T）（図３０Ａ・Ｂ）を用いれば図３０Ｃの様に包埋ブロック試料を保護板兼データ記録部X1が成形されている生物試料収納固定移送処理用多孔容器状底部（ユニット１）Xの包埋ブロック試料と包埋枠状基体Ｚとが分離して包埋ブロック試料の保管管理は保護板兼データ記録部X1が成形されている生物試料収納固定移送処理用多孔容器状底部（ユニット１）Xの包埋ブロック試料として保管管理して、包埋枠状基体Ｚは薄切持に再利用することもできる。勿論、図４４Ｉに示す様に包埋ブロック試料の保管管理持にＩＣチップ（RFID）管理やその他の目的で該包埋ブロック試料に包埋枠状基体Ｚを嵌合・連結したまま保管管理することも出来る。
【００５２】
更にまた、該包埋ブロック試料は図３２Ａ・Ｂ・Ｃ に示す構造で包埋ブロックの台木部分の包埋枠状基体Ｚには多孔通液面Y3を有する蓋体（ユニット２）Yを一緒にして包埋して包埋ブロック試料を作製することが出来る。故に、図３２Ｄ・Ｅに示す様に該包埋ブロックの台木部分の多孔通液面Y3を有する蓋体（ユニット２）Yを内部に収納した包埋枠状基体Ｚの厚さは従来の病理・生物試料用カセット底部の厚さｈ（図Ｅの２１）であり、薄切用ミクロトームのアダプターのカセット係止爪係止嵌合位置（ｈ）と一致する。即ち、本発明の該包埋ブロック試料の台木部分である包埋枠状基体Ｚ内には多孔通液面Y3を有する蓋体（ユニット２）Yが嵌合・連結しており、図３２Ｄに示す様に該包埋ブロック試料はそのまま薄切することが出来る多孔通液面Y3を有する蓋体（ユニット２）Yを内部に収納した包埋枠状基体から出来ている。故に該包埋枠状基体Ｚは従来の病理・生物試料用カセット底部より頑丈であるし、従来の病理・生物試料用カセット底部の様に蓋部分の医療廃棄物が出ない。
【００５３】
このことは従来型病理・生物試料用カセットと本発明の病理・生物試料用ユニットシステムカセットとの縦断面比較図である図３４で説明している。図３４ＡＥとＢＨとＣＨは従来の病理・病理・生物試料用カセット底部Ｕと従来の多孔通液面を有する蓋体Ｖの嵌合・連結体であり、図３４ＡＦは該従来の多孔通液面を有する蓋体Ｖを外した病理・病理・生物試料用カセット底部Ｕである。図３４のＢＥは本発明の基本形態の一つである生物試料収納固定移送処理用多孔容器状底部（ユニット１）Xと該底部（ユニット１）Xの上側開口部X9に独自に互いに脱着自在に嵌合・連結する前記多孔通液面Y3を有する蓋体（ユニット２）Yとの２ユニットシステム複合構成体で構築される独立した機能を担う生物試料収納固定移送処理用多孔容器籠（ユニット構成体１）（X and Y）の構成ユニットである該底部（ユニット１）Xの上側開口部X9の外周を囲む水平方向に突設した該鍔状平面X11の少なくても１辺を前記包埋枠状基体（ユニット３）Zの外側面のデータ記録部の傾斜面Z1に沿って延長成形して、該包埋枠状基体（ユニット３）Zの外周側面に傾斜形成設置されたデータ記録部Z11を保護し抑え覆う該底部（ユニット１）Xの保護板兼データ記録部X1を更に保護するために、前記多孔通液面Y3を有する蓋体（ユニット２）Yの多孔通液面Y3の外周を囲む開閉誘導リブY8の外周平面の少なくても1辺にも同様に一体的保護板Y1を成形して、該生物試料収納固定移送処理用多孔容器状底部（ユニット１）Xの保護板兼データ記録部X1上の汚れや該データ記録部に印字貼られたデータラベルの剥離や汚れを防止する保護板Y1付き蓋体（ユニット２）Yと保護板兼データ記録部X1付き底部（ユニット１）Xとの２ユニットシステム複合構成体で構築される独立した機能を担う試料データ記録部付き生物試料収納固定移送処理用多孔容器籠（ユニット構成体１）（X and Y）の２重のデータ記録部兼保護板（X1 and Y1）が前記包埋枠状基体（ユニット３）Zの外側面のデータ記録部Z1を挟持保護して多孔通液面Y3を有する蓋体Yを廃棄しないで活用できる３ユニットシステム複合構成体（X・Y・Z）で構築される試料データの確定とバリ無し包埋ブロックの台木の機能と従来の病理・生物試料用カセット機能を担える固定用支持基台（ユニット構成体３）（X and Y and Z）で構成されることを特徴とする病理・生物試料用ユニットシステムカセットである。
図３４ＢＦは該試料データ記録部付き生物試料収納固定移送処理用多孔容器籠（ユニット構成体１）（X and Y）を外した包埋枠状基体（ユニット３）Ｚである。該包埋枠状基体（ユニット３）Zの両外側長辺側壁上端面Z5は、前記生物試料収納固定移送処理用多孔容器状底部（ユニット１）Xの上側開口部X9の外周を囲む水平方向に突設した鍔状平面X11の厚さと該底部（ユニット１）Xの開口部X9に脱着自在に嵌合・連結する多孔通液面Y3を有する蓋体（ユニット２）Yの多孔通液面Y3の外周を囲む開閉誘導リブY8の外周平面Y10の厚さを重ねた厚さ分だけ、前記包埋枠状基体（ユニット３）Zの開口部Z18周囲を囲む外壁上部上端面Z6と該開口部Z18に連なる内壁に内側に向けて突設された凸状平面Z6より高い位置に成形されている
故に、図３４のＢＥに示された固定用支持基台（ユニット構成体３）（X and Y and Z）は蓋体Ｙを医療廃棄物とすることなく試料データ記録部の保護と固定用支持基台（ユニット構成体３）（X and Y and Z）の形状強度保持の役割を担うパーツとして包埋ブロック試料内に一緒に埋め込まれるのである。
【００５４】
更にまた、図３４ＣＥもやはり本発明の試料データ記録部付きＸ１生物試料収納固定移送処理用多孔容器状底部（ユニット１）Xと、該底部（ユニット１）Xと試料データ記録部付き包埋枠状基体（ユニット３）Wの上側開口部（X9 and W18）に脱着自在に嵌合・連結する多孔通液孔Y3を有する保護板Ｙ１付き蓋体（ユニット２）Yと包埋枠状基体（ユニット３）Wの機能形態を各々分離独立した３種類の構成体ユニットとして成形して該底部Xは、該包埋枠状基体（ユニット３）Wとは分離独立した上側に開口部X9を形成し該上側開口部X9の外周を囲む水平方向に突設した鍔状平面X11を形成し、その下側に少なくとも底部に多孔通液性底面X10を形成した試料収納部X6からなる生物試料収納固定移送処理用多孔容器状底部（ユニット１）Xであり、前記包埋枠状基体（ユニット３）Wの介在がなくても該生物試料収納固定移送処理用多孔容器状底部（ユニット１）Xの上側開口部X9に前記多孔通液孔Y3を有する蓋体（ユニット２）Yが独自に互いに脱着自在に嵌合・連結して試料の固定移送と薬液処理と試料データの伝達連結をする独立した機能を担う生物試料収納固定移送処理用多孔容器籠（ユニット構成体１）（X and Y）を構築することができ、前記包埋枠状基体（ユニット３）Wは、前記底部Xである生物試料収納固定移送処理用多孔容器状底部（ユニット１）Xとは異なる多孔通液性底部W10を形成する包埋枠状基体（ユニット３）Wであり、該包埋枠状基体（ユニット３）Wの上側開口部W18に前記多孔通液孔Y3を有する蓋体（ユニット２）Yが独自に互いに脱着自在に嵌合・連結して試料データの確定とバリ無し包埋ブロックの台木の機能と従来の病理・生物試料用カセット機能を担える固定用支持基台（ユニット構成体３）（Y and W）を構築する。
該試料データ記録部（Ｘ１and Y１）付き生物試料収納固定移送処理用多孔容器籠（ユニット構成体１）（X and Y）と該試料データ記録部付き固定用支持基台（ユニット構成体３）（Y and W）の構成ユニットである前記多孔通液孔Y3を有する保護板Ｙ１付き蓋体（ユニット２）Yを共有活用できる３ユニットシステム複合構成体(X・Ｙ・Ｗ)からなる独立した機能を担う試料データ記録部（Ｘ１and Y１）付き生物試料収納固定移送処理用多孔容器籠（ユニット構成体１）（X and Y）と試料データ記録部付き固定用支持基台（ユニット構成体３）（Y and W）とで構成するユニットシステム包埋枠状基体構成体であることを特徴とする病理・生物試料用ユニットシステムカセットである。
図３４ＣＦは該試料データ記録部付き生物試料収納固定移送処理用多孔容器籠（ユニット構成体１）（X and Y）を外した包埋枠状基体（ユニット３）Ｗである。該包埋枠状基体（ユニット３）Wは、前記上側開口部W18の周囲を囲む外壁上部上端面W6或いは該上側開口部W18に連なる収納内壁に内側に向けて突設された凸状平面W6が形成され、該上側開口部W18周囲を囲む外壁上部の両長辺上端面W5の端面上に外側長辺側壁W15を立設延長形成した包埋枠状基体（ユニット３）Wであり、該包埋枠状基体（ユニット３）Wの両側長辺側壁W15の上端面W15は、前記生物試料収納固定移送処理用多孔容器状底部（ユニット１）Xの上側開口部X9に脱着自在に嵌合・連結する多孔通液面Y9を有する蓋体（ユニット２）Yの多孔通液面Y9の外周を囲む開閉誘導リブY8の外周平面の厚さ分だけ前記包埋枠状基体（ユニット３）Wの開口部W18周囲を囲む外壁上部上端面W6と該開口部W18に連なる内壁に内側に向けて突設された凸状平面W6より高い位置に成形されている。
また、前記生物試料収納固定移送処理用多孔容器籠（ユニット構成体１）の構成体ユニットである該生物試料収納固定移送処理用多孔容器状底部（ユニット１）の上側開口部に脱着自在に嵌合・連結する多孔通液孔を有する蓋体（ユニット２）は、該蓋体（ユニット２）の多孔通液面の外周を囲む開閉誘導リブの外周平面の長側辺を前記包埋枠状基体（ユニット３）の両外側長辺側壁が挟持嵌合できる形状に切り欠け部を形成した蓋体であり、該生物試料収納固定移送処理用多孔容器状底部（ユニット１）の蓋体（ユニット２）は前記包埋枠状基体（ユニット３）の蓋体（ユニット２）としても共有活用されて、該蓋体（ユニット２）の多孔通液面の外周を囲む開閉誘導リブの外周平面の厚さは該包埋枠状基体（ユニット３）内に全て収納され側壁外側のデータ記録部の面積が広く保たれる。また、該多孔通液孔を有する蓋体（ユニット２）が該包埋枠状基体（ユニット３）の長辺側壁内に収まりカセット収納容積の減少を防ぐために、その厚さ分該包埋枠状基体（ユニット３）の多孔通液性底部の成形位置をカセットブロック薄切時のアダプター固定爪位置Ｚ14の底面より狭い面積で突設成形した袴状の突設側壁Z11に成形する。
該包埋枠状基体（ユニット３）Wは前記生物試料収納固定移送処理用多孔容器籠（ユニット構成体１）（X and Y）の構成ユニットである前記多孔通液面Y9を有する蓋体（ユニット２）Yを該包埋枠状基体（ユニット３）Wの上側開口部W18にも脱着自在に嵌合・連結する多孔通液面Y9を有する蓋体として共有できて、該蓋体（ユニット２）Yを廃棄することなく、包埋ブロックの台木の一部として一体的に埋込活用して包埋ブロックを作製できるブロック試料の固定用支持基台（ユニット構成体３）（Y and W）を構築することができる。該生物試料収納固定移送処理用多孔容器籠（ユニット構成体１）（X and Y）と該固定用支持基台（ユニット構成体３）（Y and W）の構成ユニットである前記多孔通液面Y9を有する蓋体（ユニット２）Yを共有活用できる３ユニットシステム複合構成体（X・Y・Ｗ）からなる独立した機能を担う生物試料収納固定移送処理用多孔容器籠（ユニット構成体１）（X and Y）と独立した試料データの確定とバリ無し包埋ブロック試料の台木の機能と従来の病理・生物試料用カセット機能を担える固定用支持基台（ユニット構成体３）（Y and W）とで構成することを特徴とする病理・生物試料用ユニットシステムカセットある。
故に、図３４のＣＥに示された固定用支持基台（ユニット構成体３）（Y and W）は蓋体Ｙを医療廃棄物とすることなく試料データ記録部の保護と固定用支持基台（ユニット構成体３）（Y and W）の形状強度保持の役割を担うパーツとして包埋ブロック試料内に一緒に埋め込まれるのである。
【００５５】
更にまた、縦断面比較図３５ＢＧとＣＧは３ユニットシステム複合構成体（X・Y・Z）からなる図３４ＢＥに示された生物試料収納固定移送処理用多孔容器状底部（ユニット１）Xと該底部（ユニット１）Xの上側開口部X9に独自に互いに脱着自在に嵌合・連結する前記多孔通液面Y3を有する蓋体（ユニット２）Yとの２ユニットシステム複合構成体で構築される独立した機能を担う生物試料収納固定移送処理用多孔容器籠（ユニット構成体１）（X and Y）図３５ＢＧの構成ユニットである該底部（ユニット１）Xの上側開口部X9の外周を囲む水平方向に突設した該鍔状平面X11の少なくても１辺を前記包埋枠状基体（ユニット３）Zの外側面データ記録部の傾斜面Z1に沿って延長成形して、該包埋枠状基体（ユニット３）Zの外周側面に傾斜形成設置されたデータ記録部Z11を保護し抑え覆う該底部（ユニット１）Xの保護板兼データ記録部X1を更に保護するために、前記多孔通液面Y3を有する蓋体（ユニット２）Yの多孔通液面Y3の外周を囲む開閉誘導リブY8の外周平面の少なくても1辺にも同様に一体的保護板Y1を成形して、該生物試料収納固定移送処理用多孔容器状底部（ユニット１）Xの保護板兼データ記録部X1上の汚れや該データ記録部に印字貼られたデータラベルの剥離や汚れを防止する保護板Y1付き蓋体（ユニット２）Yと保護板兼データ記録部X1付き底部（ユニット１）Xとの２ユニットシステム複合構成体で構築される独立した機能を担う試料データ記録部付き生物試料収納固定移送処理用多孔容器籠（ユニット構成体１）（X and Y）図３５ＢＧの２重のデータ記録部兼保護板（X1 and Y1）が前記包埋枠状基体（ユニット３）Zの外側面のデータ記録部Z1を挟持保護して多孔通液面Y3を有する蓋体Yを廃棄しないで活用できる３ユニットシステム複合構成体（X・Y・Z）で構築される試料データの確定とバリ無し包埋ブロックの台木の機能と従来の病理・生物試料用カセット機能を担える固定用支持基台（ユニット構成体３）（X and Y and Z）図３５ＣＧで構成されることを特徴とする病理・生物試料用ユニットシステムカセットを示している。
該縦断面比較図３５ＡＦとＢＧは３ユニットシステム複合構成体（X・Y・Ｗ）からなる図３４ＣＥに示された保護板兼データ記録部Ｘ１付き生物試料収納固定移送処理用多孔容器状底部（ユニット１）Xと、該底部（ユニット１）Xと試料データ記録部付き包埋枠状基体（ユニット３）Wの上側開口部（X9 and W18）に脱着自在に嵌合・連結する多孔通液面Y3を有する保護板Ｙ１付き蓋体（ユニット２）Yと包埋枠状基体（ユニット３）Wの機能形態を各々分離独立した３種類の構成体ユニットとして成形して、該底部Xは該包埋枠状基体（ユニット３）Wとは分離独立した上側に開口部X9を形成し該上側開口部X9の外周を囲む水平方向に突設した鍔状平面X11を形成し、その下側に少なくとも底部に多孔通液性底面X10を形成した試料収納部X6からなる生物試料収納固定移送処理用多孔容器状底部（ユニット１）Xであり、前記包埋枠状基体（ユニット３）Wの介在がなくても該生物試料収納固定移送処理用多孔容器状底部（ユニット１）Xの上側開口部X9に前記多孔通液孔Y3を有する蓋体（ユニット２）Yが独自に互いに脱着自在に嵌合・連結して試料の固定移送と薬液処理と試料データの伝達連結をする独立した機能を担う生物試料収納固定移送処理用多孔容器籠（ユニット構成体１）（X and Y）図３５ＢＧを構築することができる。前記包埋枠状基体（ユニット３）Wは、前記底部Xである生物試料収納固定移送処理用多孔容器状底部（ユニット１）Xとは異なる多孔通液性底部W10を形成する包埋枠状基体（ユニット３）Wであり、該包埋枠状基体（ユニット３）Wの上側開口部W18に前記多孔通液孔Y3を有する蓋体（ユニット２）Yが独自に互いに脱着自在に嵌合・連結して試料データの確定とバリ無し包埋ブロックの台木の機能と従来の病理・生物試料用カセット機能を担える固定用支持基台（ユニット構成体３）（Y and W）図３５ＡＦを構築する。該試料データ記録部（Ｘ１and Y１）付き生物試料収納固定移送処理用多孔容器籠（ユニット構成体１）（X and Y）図３５ＢＧと該試料データ記録部付き固定用支持基台（ユニット構成体３）（Y and W）図３５ＡＦの構成ユニットである前記多孔通液孔Y3を有する保護板Ｙ１付き蓋体（ユニット２）Yを共有活用できる３ユニットシステム複合構成体(X・Ｙ・Ｗ)からなる独立した機能を担う試料データ記録部（Ｘ１and Y１）付き生物試料収納固定移送処理用多孔容器籠（ユニット構成体１）（X and Y）図３５ＢＧと試料データ記録部付き固定用支持基台（ユニット構成体３）（Y and W）図３５ＡＦとで構成するユニットシステム包埋枠状基体構成体であることを特徴とする病理・生物試料用ユニットシステムカセットである。
【００５６】
該縦断面比較図３５から解ることは、該３ユニットシステム複合構成体からなる固定用支持基台（ユニット構成体３）（X and Y and Z）図３５ＣＧと固定用支持基台（ユニット構成体３）（Y and W）図３５ＡＦの外形の形状形態は同じであり、両者ともに多孔通液面Y3を有する保護板Ｙ１付き蓋体（ユニット２）Yは共有活用できる。それは図３５ＡＦの多孔通液面Y3を有する保護板Ｙ１付き蓋体（ユニット２）Yを外した図が図３５ＡＤであるが、該図３５ＡＤの包埋枠状基体（ユニット３）Wは、前記底部Xである生物試料収納固定移送処理用多孔容器状底部（ユニット１）Xとは異なる多孔通液性底部W10を形成する包埋枠状基体（ユニット３）Wであり、該包埋枠状基体（ユニット３）Wの厚さ〔：外壁（図３７のＷ１５）の高さｈ（２１）〕から生物試料収納固定移送処理用多孔容器状底部（ユニット１）Xの上側開口部X9の外周を囲む水平方向に突設した鍔状平面X11の厚さと該底部（ユニット１）Xの開口部X9に脱着自在に嵌合・連結する多孔通液面Y3を有する蓋体（ユニット２）Yの多孔通液面Y3の外周を囲む開閉誘導リブY8の外周平面Y10の厚さを重ねた厚さ分である仮想形状（Ｗｐ１）だけ切り取るとＷｐ２が残る（図３５ＢＤ）。該仮想形状（Ｗｐ１）を図３５ＣＤのユニットシステム包埋枠状基体多孔通液性容器底部（ユニット構成体２）（X and Z）の開口部に重ね合わせると生物試料収納固定移送処理用多孔容器状底部（ユニット１）X 図３５ＣＥのデータ記録部の傾斜角度面に一致して、また包埋枠状基体Ｗ図３５ＡＤのデータ記録部の傾斜面と一致している。即ち図３５ＡＤとＷｐ１とＷｐ２の重なり（Ｗｐ１ and Ｗｐ２）図３５ＢＥは合同であり、図３５ＣＥの外形状とも一致する。故に前記多孔通液面Y3を有する保護板Ｙ１付き蓋体（ユニット２）Yは図３５ＡＤと図３５ＢＥと図３５ＣＥは同じ外形形態であり両方に脱着自由に嵌合連結する（図３５ＡＦ・図３５ＢＦ）。即ち、多孔通液面Y3を有する保護板Ｙ１付き蓋体（ユニット２）Yは生物試料収納固定移送処理用多孔容器状底部（ユニット１）Xの上側開口部X9に脱着自在に嵌合連結して保護板兼データ記録部（Ｘ１and Y１）付き生物試料収納固定移送処理用多孔容器籠（ユニット構成体１）（X and Y）図３５ＢＧを構築し、該試料データ記録部（Ｘ１and Y１）付き生物試料収納固定移送処理用多孔容器籠（ユニット構成体１）（X and Y）図３５ＢＧは前記包埋枠状基体（ユニット３）Zの上側開口部Ｚ１８にも脱着自在に嵌合・連結して該包埋枠状基体（ユニット３）Zのデータ記録部Ｚ１を保護板兼データ記録部（Ｘ１and Y１）付き生物試料収納固定移送処理用多孔容器籠（ユニット構成体１）（X and Y）図３５ＢＧの保護板兼データ記録部（Ｘ１and Y１）の下面Ｘ７が覆い保護する。
即ち、本発明の保護板兼データ記録部Ｘ１付き生物試料収納固定移送処理用多孔容器状底部（ユニット１）Xと多孔通液面Y3を有する保護板Ｙ１付き蓋体（ユニット２）Yとデータ記録部Ｚ１付き包埋枠状基体（ユニット３）Zと多孔通液性底部W10を形成するデータ記録部Ｗ１付き包埋枠状基体（ユニット３）Wとは、該保護板兼データ記録部Ｘ１付き生物試料収納固定移送処理用多孔容器状底部（ユニット１）Xの上側開口部X9に脱着自在に嵌合・連結する多孔通液面Y3を有する保護板Ｙ１付き蓋体（ユニット２）Yとで試料の固定移送と薬液処理と試料データの伝達連結をする独立した機能を担う生物試料収納固定移送処理用多孔容器籠（ユニット構成体１）（X and Y）図３５ＢＧを構築して、該生物試料収納固定移送処理用多孔容器籠（ユニット構成体１）（X and Y）図３５ＢＧは前記データ記録部Ｚ１付き包埋枠状基体（ユニット３）Zと脱着自在に嵌合・連結して前記３ユニットシステム複合構成体からなる固定用支持基台（ユニット構成体３）（X and Y and Z）図３５ＣＧを構築する。更に該多孔通液面Y3を有する保護板Ｙ１付き蓋体（ユニット２）Yは前記多孔通液性底部W10を形成するデータ記録部Ｗ１付き包埋枠状基体（ユニット３）Wの上側開口部Ｗ１８に脱着自在に嵌合・連結して試料データ記録部付き固定用支持基台（ユニット構成体３）（Y and W）図３５ＡＦを構築する。
故に、ユニットシステム包埋枠状基体多孔通液性容器底部（ユニット構成体２）（X and Z）である図３５ＣＤ・ＣＥの試料収納部は保護板兼データ記録部Ｘ１付き生物試料収納固定移送処理用多孔容器状底部（ユニット１）Xの試料収納部Ｘ６であり、一方多孔通液性底部W10を形成するデータ記録部Ｗ１付き包埋枠状基体（ユニット３）Wの試料収納部Ｗ１７は該包埋枠状基体（ユニット３）W自体内部に成形された試料収納部Ｗ１７であるので前記生物試料収納固定移送処理用多孔容器状底部（ユニット１）Xの試料収納部Ｘ６の周囲を囲む側壁Ｘ８の成形の必要が無くその分試料収納部Ｗ１７の底面積は広くとれる。その他は該多孔通液面Y3を有する保護板Ｙ１付き蓋体（ユニット２）Yの保護板Ｙ１の成形傾斜角度は保護板兼データ記録部Ｘ１付き生物試料収納固定移送処理用多孔容器状底部（ユニット１）Xと包埋枠状基体（ユニット３）Zとの２ユニットシステム複合構成体で構築される病理組織試料用カセットの機能形態であるユニットシステム包埋枠状基体多孔通液性容器底部（ユニット構成体２）（X and Z）のデータ記録部Ｘ１の傾斜面に沿って成形されており、該データ記録部Ｘ１の傾斜面を該保護板Ｙ１付き蓋体（ユニット２）Yの保護板Ｙ１が押さえ覆うように保護している（図３５ＢＧと図３５ＣＧ）。更に、前記多孔通液性底部W10を形成するデータ記録部Ｗ１付き包埋枠状基体（ユニット３）Wのデータ記録部Ｗ１面は該保護板兼データ記録部Ｘ１付き生物試料収納固定移送処理用多孔容器状底部（ユニット１）Xのデータ記録部Ｘ１面と同じ傾斜面上存在している。
【００５７】
更にまた、図３６は試料データ記録部付き固定用支持基台（ユニット構成体３）（Y and W）の説明図で図３６Ａは平面図であり、図３６ＢＣは図３６Ａの両矢印直線Ｃの縦断面図でありデータ記録部Ｗ１の下面にＩＣチップ（RFID）２の挿入設置部が成形されていて、図３６ＢＤは図３６Ａの両矢印直線Ｄの縦断面図であり、図３６ＢＥは図３６Ａの両矢印直線Ｅの縦断面図であり、図３６Ｆは該試料データ記録部付き固定用支持基台（ユニット構成体３）（Y and W）の１ユニットである包埋枠状基体Ｗの縦断面図であり、図３６Ｇは該包埋枠状基体Ｗの平面図であり、図３６Ｈは該包埋枠状基体Ｗの裏面図である。
【００５８】
更にまた、図３７Ａも前記試料データ記録部付き固定用支持基台（ユニット構成体３）（Y and W）の１ユニットである包埋枠状基体Ｗの平面図であり、図３７ＢＣは図３７Ａの両矢印直線Ｃの縦断面図でありデータ記録部Ｗ１の下面にＩＣチップ（RFID）２の挿入設置部が成形されていて、図３７ＢＤは図３７Ａの両矢印直線Ｄの縦断面図であり、図３７ＢＥは図３７Ａの両矢印直線Ｅの縦断面図であり、この側のデータ記録部Ｗ１の下面にＩＣチップ（RFID）２の挿入設置部が成形しても良い。図３７Ｆは側面図であり、図３７Ｇは図３７の両矢印直線Ｉの左側横断面図２２であり、図３７Ｈは図３７の両矢印直線Ｊの左側横断面図２２と右側横断面図２３である。Ｗ１はデータ記録部、Ｗ２はＩＣチップ（ＲＦＩＤ）挿入設置位置、Ｗ３は両サイド泡抜き孔、Ｗ４は中央部泡抜き兼舌状係止蓋掛け止め部、Ｗ５は両外側長辺側壁上端面、上側開口部Ｗ１８の周囲を囲む外壁上部上端面Ｗ６或いは該上側開口部Ｗ１８に連なる収納内壁に内側に向けて突設された凸状平面Ｗ６、蓋体（ユニット２）Yの脱着開閉用爪掛け部Ｙ５の成形空間Ｗ7、外側壁Ｗ１５の両前部外側面に上端面Ｗ６から下端面Ｗ14に通じる凹部Ｗ８、Ｗ９は保護板付き蓋体の前部両側に凸状垂設係止部Ｙ２の掛け止め部、Ｗ１０は多孔底部、Ｗ１１は底面より狭い面積で突設成形した袴状の突設側壁、Ｗ１２は蓋体の後部掛け止め部、Ｗ１３は後壁、Ｗ１７は試料収納部である。
【実施例２】
【００５９】
図１２、図１３に示す様に、多孔通液面Y3を有する保護板Ｙ１付き蓋体（ユニット２）Y の保護板Ｙ１を成形しない多孔通液面Ｙ３を有する蓋体Ｙaを成形することも出来る。該蓋体Ｙaの係止部は前部に従来の蓋部と同じ舌状係止部Ｙa1、後部に後部係止部Ｙ４を成形して、図１２Ａ・Ｂ・Ｃ と図１３Ａ・Ｂ・Ｃに示す様に前部舌状係止部Ｙa1を前記保護板兼データ記録部X1付き生物試料収納固定移送処理用多孔容器状底部（ユニット１）Xの中央部泡抜き兼舌状係止蓋掛け止め部Ｘ３に差し込み係止して、後部係止部Ｙ４を該多孔容器状底部（ユニット１）Xの後部掛け止め部Ｘ５に掛け止めて蓋体にはデータ記録部の保護板は付いていないが、保護板兼データ記録部Ｘ１付き生物試料収納固定移送処理用多孔容器籠（ユニット構成体１）（X and Ya）が構築される。更に縦断面図と側面図である図１３Ｄ・Ｅ・Ｆ・Ｇ と平面図である図１４Ａ・Ｂと裏面図である図１５Ａ・Ｂに示すように該保護板兼データ記録部Ｘ１付き生物試料収納固定移送処理用多孔容器籠（ユニット構成体１）（X and Ya）はデータ記録部Ｚ１付き包埋枠状基体（ユニット３）Zと嵌合・連結して３ユニットシステム複合構成体からなるユニットシステム包埋枠状基体構成体である別の形状形態の生物試料用ユニットシステムカセットの実施例を示している。
【００６０】
前部舌状係止部Ｙa1成形の多孔通液面Ｙ３を有する蓋体Ｙaと前記保護板兼データ記録部X1付き生物試料収納固定移送処理用多孔容器状底部（ユニット１）Xの脱着自在な嵌合・連結は図１２Ａ・Ｂ・Ｃ に示す様に該蓋体Ｙaの前部舌状係止部Ｙa1は該保護板兼データ記録部X1付き生物試料収納固定移送処理用多孔容器状底部（ユニット１）Xの中央部泡抜き兼舌状係止蓋掛け止め部（図１３Ａ・ＣのＸ３）に差し込み係止して、後部係止部Ｙ４は図１２Ａ・Ｂ・Ｃ と図１３Ａ・Ｂ・Ｃ・Ｄに示す様に該底部（ユニット１）Xの後部掛け止め部Ｘ５に掛け止め係止して嵌合している。更に図１３Ｄ・Ｅ・Ｆ・Ｇ と平面図である図１４Ａ・Ｂと裏面図である図１５Ａ・Ｂに示す前部舌状係止部Ｙa1成形の多孔通液面Ｙ３を有する蓋体Ｙaと前記保護板兼データ記録部X1付き生物試料収納固定移送処理用多孔容器状底部（ユニット１）Xとデータ記録部Ｚ１付き包埋枠状基体（ユニット３）Zとの３ユニットシステム複合構成体からなるユニットシステム包埋枠状基体構成体の係止部の嵌合・連結構造は後部係止関係を示す図１３Ｆに記載してあるがその拡大図は図１０Ｃ と図１１Ｆ と同じであり、それぞれ該底部（ユニット１）Xと該包埋枠状基体（ユニット３）Zの掛け止め部が成す二角の重なりで構築される掛け止め部(X5 and Z12)で構成されるので該蓋体（ユニット２）Yaと、該底部（ユニット１）Xと該包埋枠状基体（ユニット３）Zの掛け止め部（X5 and Z12 and Y4）の嵌合・係止支点は各々共通共用している。
更に、該蓋体Ｙaの前部舌状係止部Ｙa1の保護板兼データ記録部X1付き生物試料収納固定移送処理用多孔容器状底部（ユニット１）Xとデータ記録部Ｚ１付き包埋枠状基体（ユニット３）Zとの前部係止関係は縦断面図である図１４Ｆと裏面図である図１５Ａ・Ｂに明瞭に示してあるが、該多孔通液性底面X10を形成した試料収納部X6と上側開口部X9の外周を囲む水平方向に突設した該鍔状平面X11とで構成される該生物試料収納固定移送処理用多孔容器状底部（ユニット１）Xの上側開口部X9の外周を囲む水平方向に突設した該鍔状平面X11の少なくても１辺を該包埋枠状基体（ユニット３）Zの外側面データ記録部の傾斜面Z1に沿って延長成形して、該包埋枠状基体（ユニット３）Zの外周側面に傾斜形成設置されたデータ記録部Z1を抑え覆う保護板兼データ記録部X1を一体的に成形した２ユニットシステム複合構成体で構築される病理・生物試料用カセットの機能形態であるユニットシステム包埋枠状基体多孔通液性容器底部（ユニット構成体２）（X and Z）の上側開口部Ｘ9に脱着自在に嵌合・連結する多孔通液面Ｙ３を有する蓋体が多孔通液面Y3を有する保護板Ｙ１付き蓋体（ユニット２）Yと保護板Ｙ１を成形していない前部舌状係止部Ｙa1成形の多孔通液面Ｙ３を有する蓋体Ｙaとを共通活用できて、該蓋体（Ｙ or Ya）が従来の包埋ブロック薄切時の薄切用ミクロトームのアダプター固定爪位置Ｚ14の台木の厚さｈ（図３２・図３４の２１）である包埋ブロックの固定用支持基台（ユニット構成体３）内に納まる構造に成形するためには、図３７の図３７Ａの両矢印直線Ｄの縦断面図（図３７ＢＤ）と図３７の両矢印直線Ｊの右側横断面図２３の様に該包埋枠状基体Ｚにも前記生物試料収納固定移送処理用多孔容器状底部（ユニット１）Xの中央部泡抜き兼舌状係止蓋掛け止め部Ｘ３同様に上からも横断面内側からも解放している中央部泡抜き兼舌状係止蓋掛け止め部Ｗ４を成形しなければならない。この時、多孔通液面Y3を有する保護板Ｙ１付き蓋体（ユニット２）Yには小型生検試料の抜け落ち防止閉鎖壁Ｙ７が必要になる。
【００６１】
更にまた、図３８Ａ・Ｂ に示す様に保護板Ｙ１を成形していない前部舌状係止部Ｙa1成形の多孔通液面Ｙ３を有する前記蓋体Ｙaを使用する場合には敢えて透明な合成樹脂製の蓋体Ｙaを成形する必要がないが、逆に透明な保護板X1付き生物試料収納固定移送処理用多孔容器状底部（ユニット１）Xを成形すると便利である。この時該透明な合成樹脂で成形された該保護板Ｘa1付き多孔容器状底部（ユニット１）Xは前記包埋枠状基体Ｚaのデータ記録部Za1上の記載データやデータ記録ラベル１を透明な合成樹脂製保護板Ｘa1が保護する。
【００６２】
更にまた、図３９Ａ・Ｂ・Ｃに示す様に単純な箱型の生物試料収納固定移送処理用多孔容器籠（ユニット構成体１）（Xb and Yc）を成形して多孔蓋体Ｙc と多孔底部Ｘb の脱着自在の嵌合・連結は蓋部係止部Ｙｃ１とＹｃ４で各々Ｘｃ３とＸｃ５で掛け止める構造にして、該生物試料収納固定移送処理用多孔容器籠（ユニット構成体１）（Xb and Yc）の開閉は指掛け部Ｙｃ９の指掛け凹部と指掛け部Ｙｃ５で開閉し、図４０Ａ・Ｂ・Ｃに示す様に多孔蓋部Ｙcの係止部Ｙｃ１とＹｃ４とが包埋枠状基体Ｚｂの掛け止め部Ｚｂ４とＺｂ１２に掛け止める形状形態にすることも出来る。勿論患者名・試料名３のデータ記録部は成形できる。該生物試料収納固定移送処理用多孔容器籠（ユニット構成体１）（Xb and Yc）を多孔蓋体Ｙc と多孔底部Ｘbの境を図４０に示す如くにヒンジ成形して一体に成形しても良い。また該生物試料収納固定移送処理用多孔容器籠（ユニット構成体１）（Xb and Yc）が嵌合・連結する包埋枠状基体Ｗａの底部を多孔通液面Ｗａ１０で成形しても良い。但し、この場合には包埋枠状基体のデータ記録部に対する保護板は無い。
【符号の説明】
【００６３】
X    生物試料収納固定移送処理用多孔容器状底部（ユニット１）
Y    多孔通液孔を有する蓋体（ユニット２）
Z    包埋枠状基体（ユニット３）
W    多孔通液性底部を形成する包埋枠状基体
U    従来型のカセット底部
V    従来型のカセットの多孔蓋
１    データ記録ラベル
２    ICチップ（RFID）
３    患者名・試料名
４    肛門側（AW）
５    患者試料
５a   トリミング試料
６    固定移送容器
７    自動貼りラベルプリンター
８    ピンセット
９    薬液処理籠
１０    スポンジゲル製マット
１１    ホットプレート
１２    包埋剤
１２a  熔融包埋剤
１５    固定液
S    包埋底部（ユニット４）
T    上部水密包埋枠部（ユニット５）
１６    コールドプレート
２１    アダプターのカセット係止爪係止嵌合位置（ｈ）
２２    左側断面図
２３    右側断面図
【図１】
2011247640.tif 000003
【図２】
2011247640.tif 000004
【図３】
2011247640.tif 000005
【図４】
2011247640.tif 000006
【図５】
2011247640.tif 000007
【図６】
2011247640.tif 000008
【図７】
2011247640.tif 000009
【図８】
2011247640.tif 000010
【図９】
2011247640.tif 000011
【図１０】
2011247640.tif 000012
【図１１】
2011247640.tif 000013
【図１２】
2011247640.tif 000014
【図１３】
2011247640.tif 000015
【図１４】
2011247640.tif 000016
【図１５】
2011247640.tif 000017
【図１６】
2011247640.tif 000018
【図１７】
2011247640.tif 000019
【図１８】
2011247640.tif 000020
【図１９】
2011247640.tif 000021
【図２０】
2011247640.tif 000022
【図２１】
2011247640.tif 000023
【図２２】
2011247640.tif 000024
【図２３】
2011247640.tif 000025
【図２４】
2011247640.tif 000026
【図２５】
2011247640.tif 000027
【図２６】
2011247640.tif 000028
【図２７】
2011247640.tif 000029
【図２８】
2011247640.tif 000030
【図２９】
2011247640.tif 000031
【図３０】
2011247640.tif 000032
【図３１】
2011247640.tif 000033
【図３２】
2011247640.tif 000034
【図３３】
2011247640.tif 000035
【図３４】
2011247640.tif 000036
【図３５】
2011247640.tif 000037
【図３６】
2011247640.tif 000038
【図３７】
2011247640.tif 000039
【図３８】
2011247640.tif 000040
【図３９】
2011247640.tif 000041
【図４０】
2011247640.tif 000042
【図４１】
2011247640.tif 000043
【図４２】
2011247640.tif 000044
【図４３】
2011247640.tif 000045
【図４４】
2011247640.tif 000046